(57)【要約】  本願の実施形態は、ダウンリンク制御チャネル指示方法、端末装置、およびネットワーク装置を開示する。方法は、端末装置が、ネットワーク装置により第１の時間−周波数リソースの予め設定された周波数帯域上で送信された指示情報を受信する段階であって、前記第１の時間−周波数リソースは、部分的にまたは完全に第２の時間−周波数リソースと重なる、段階と、前記端末装置が、前記指示情報に従って、前記第１の時間−周波数リソースの物理ダウンリンク制御チャネルＰＤＣＣＨ時間−周波数リソースの位置を決定する段階とを備える。本出願の技術的解決手段において、第１の時間−周波数リソースの端末装置は、物理ダウンリンク制御チャネルＰＤＣＣＨ時間−周波数リソースの位置を決定できる。
2020503733.tif 000002
【特許請求の範囲】
【請求項１】
端末装置が、ネットワーク装置により第１の時間−周波数リソースの予め設定された周波数帯域上で送信された指示情報を受信する段階であって、前記第１の時間−周波数リソースは、第２の時間−周波数リソースと部分的にまたは完全に重なる、段階と、
前記端末装置が、前記指示情報に従って、前記第１の時間−周波数リソースの物理ダウンリンク制御チャネルＰＤＣＣＨ時間−周波数リソースの位置を決定する段階と
を備える
ダウンリンク制御チャネル指示方法。
【請求項２】
前記予め設定された周波数帯域は、前記第１の時間−周波数リソースのガードバンドと、前記第２の時間−周波数リソースのガードバンドとの間の帯域間隔である、請求項１に記載の方法。
【請求項３】
端末装置が、ネットワーク装置により第１の時間−周波数リソースの予め設定された周波数帯域上で送信された指示情報を受信する前記段階は、
前記端末装置が、前記ネットワーク装置により前記第１の時間−周波数リソースの物理ブロードキャストチャネルＰＢＣＨ上で送信された前記指示情報を受信する段階を含む、請求項１に記載の方法。
【請求項４】
前記指示情報は、物理制御フォーマットインジケータチャネルＰＣＦＩＣＨを含み、前記端末装置が、前記指示情報に従って、前記第１の時間−周波数リソースの物理ダウンリンク制御チャネルＰＤＣＣＨ時間−周波数リソースの位置を決定する前記段階は、
前記端末装置が、前記ＰＣＦＩＣＨに基づき、前記第１の時間−周波数リソースの制御エリアを決定する段階であって、前記ＰＣＦＩＣＨは、前記制御エリアに位置するか、または前記制御エリアの外部の別の周波数帯域に位置する、段階と、
前記端末装置が、前記制御エリアにおけるブラインド検出を実行し、前記第１の時間−周波数リソースの前記ＰＤＣＣＨ時間−周波数リソースの前記位置を決定する段階と
を含む、請求項１または２に記載の方法。
【請求項５】
前記予め設定された周波数帯域が前記第２の時間−周波数リソースにより占有されたとき、前記端末装置が、前記第１の時間−周波数リソースの候補周波数帯域に対してブラインド検出を実行し、前記ＰＣＦＩＣＨを取得する段階であって、前記候補周波数帯域は、前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域である、段階をさらに備える請求項４に記載の方法。
【請求項６】
前記指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含み、
前記端末装置が、前記指示情報に従って、前記第１の時間−周波数リソースの物理ダウンリンク制御チャネルＰＤＣＣＨ時間−周波数リソースの位置を決定する前記段階は、
前記端末装置が、前記時間領域開始直交周波数分割多重ＯＦＤＭシンボルと、前記時間領域ＯＦＤＭシンボルの数と、前記周波数領域開始物理リソースブロックＰＲＢと、前記周波数領域ＰＲＢの数とに基づき、前記第１の時間−周波数リソースの前記物理ダウンリンク制御チャネルＰＤＣＣＨ時間−周波数リソースの前記位置を決定する段階
を含む、請求項１から３の何れか一項に記載の方法。
【請求項７】
ネットワーク装置が、第１の時間−周波数リソース上で予め設定された周波数帯域を決定する段階であって、前記第１の時間−周波数リソースは、第２の時間−周波数リソースと部分的にまたは完全に重なる、段階と、
前記ネットワーク装置が、前記予め設定された周波数帯域上で指示情報を送信する段階であって、前記指示情報は、物理制御フォーマットインジケータチャネルＰＣＦＩＣＨを含むか、または、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む、段階と
を備える
ダウンリンク制御チャネル指示方法。
【請求項８】
前記予め設定された周波数帯域は、前記第１の時間−周波数リソースのガードバンドと、前記第２の時間−周波数リソースのガードバンドとの間の帯域間隔である、請求項７に記載の方法。
【請求項９】
前記予め設定された周波数帯域は、前記第１の時間−周波数リソースの物理ブロードキャストチャネルＰＢＣＨが位置する周波数帯域である、請求項７に記載の方法。
【請求項１０】
前記予め設定された周波数帯域が前記第２の時間−周波数リソースにより占有されるとき、前記ネットワーク装置が、前記第１の時間−周波数リソースの候補周波数帯域上で前記ＰＣＦＩＣＨを送信する段階であって、前記候補周波数帯域が前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域である、段階をさらに備える、請求項７から９の何れか一項に記載の方法。
【請求項１１】
ネットワーク装置により第１の時間−周波数リソースの予め設定された周波数帯域上で送信された指示情報を受信するよう構成される受信モジュールであって、前記第１の時間−周波数リソースは部分的にまたは完全に第２の時間−周波数リソースと重なる、受信モジュールと、
前記指示情報に従って、前記第１の時間−周波数リソースの物理ダウンリンク制御チャネルＰＤＣＣＨ時間−周波数リソースの位置を決定するよう構成される処理モジュールと
を備える
端末装置。
【請求項１２】
前記予め設定された周波数帯域は、前記第１の時間−周波数リソースのガードバンドと、前記第２の時間−周波数リソースのガードバンドとの間の帯域間隔である、請求項１１に記載の端末装置。
【請求項１３】
前記受信モジュールは具体的に、前記ネットワーク装置により前記第１の時間−周波数リソースの物理ブロードキャストチャネルＰＢＣＨ上で送信された前記指示情報を受信するよう構成される、請求項１１に記載の端末装置。
【請求項１４】
前記指示情報は、物理制御フォーマットインジケータチャネルＰＣＦＩＣＨを含み、前記処理モジュールは具体的に、制御エリアに位置するか、または、前記制御エリアの外部の別の周波数帯域に位置する前記ＰＣＦＩＣＨに基づき、前記第１の時間−周波数リソースの前記制御エリアを決定し、前記制御エリアにおいてブラインド検出を実行して前記第１の時間−周波数リソースの前記ＰＤＣＣＨ時間−周波数リソースの前記位置を決定するよう構成される、請求項１１または１２に記載の端末装置。
【請求項１５】
前記処理モジュールは、前記予め設定された周波数帯域が前記第２の時間−周波数リソースにより占有されたとき、前記第１の時間−周波数リソース上の候補周波数帯域に対してブラインド検出を実行して、前記ＰＣＦＩＣＨを取得するようさらに構成され、前記候補周波数帯域は、前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域である、請求項１４に記載の端末装置。
【請求項１６】
前記指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含み、前記処理モジュールは具体的に、前記時間領域開始直交周波数分割多重ＯＦＤＭシンボルと、前記時間領域ＯＦＤＭシンボルの数と、前記周波数領域開始物理リソースブロックＰＲＢと、前記周波数領域ＰＲＢの数とに基づき、前記第１の時間−周波数リソースの前記物理ダウンリンク制御チャネルＰＤＣＣＨ時間−周波数リソースの前記位置を決定するよう構成される、請求項１１から１３の何れか一項に記載の端末装置。
【請求項１７】
第１の時間−周波数リソース上で予め設定された周波数帯域を決定するよう構成される処理モジュールであって、前記第１の時間−周波数リソースは、部分的にまたは完全に第２の時間−周波数リソースと重なる、処理モジュールと、
前記予め設定された周波数帯域上で指示情報を送信するよう構成される送信モジュールであって、前記指示情報は、物理制御フォーマットインジケータチャネルＰＣＦＩＣＨを含むか、または、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む、送信モジュールと
を備える
ネットワーク装置。
【請求項１８】
前記予め設定された周波数帯域は、前記第１の時間−周波数リソースのガードバンドと、前記第２の時間−周波数リソースのガードバンドとの間の帯域間隔である、請求項１７に記載のネットワーク装置。
【請求項１９】
前記予め設定された周波数帯域は、前記第１の時間−周波数リソースの物理ブロードキャストチャネルＰＢＣＨが位置する周波数帯域である、請求項１７に記載のネットワーク装置。
【請求項２０】
前記送信モジュールは、前記予め設定された周波数帯域が前記第２の時間−周波数リソースにより占有されたとき、前記ネットワーク装置が、前記第１の時間−周波数リソースの候補周波数帯域上で前記ＰＣＦＩＣＨを送信するようさらに構成され、前記候補周波数帯域は、前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域である、請求項１７から１９の何れか一項に記載のネットワーク装置。
【請求項２１】
命令を備えるコンピュータ可読記憶媒体であって、コンピュータ上で動作したとき、前記命令は、前記コンピュータに、請求項１から６の何れか一項に記載の方法を実行させるか、または、前記コンピュータに、請求項７から１６の何れか一項に記載の方法を実行させる、コンピュータ可読記憶媒体。
【請求項２２】
コンピュータプログラム製品であって、コンピュータ上で動作したとき、前記コンピュータプログラム製品は、前記コンピュータに、請求項１から６の何れか一項に記載の方法を実行させるか、または、前記コンピュータに、請求項７から１６の何れか一項に記載の方法を実行させる、コンピュータプログラム製品。
【請求項２３】
メモリと、プロセッサと、前記メモリに記憶され、かつ、前記プロセッサ上で動作できるコンピュータプログラムとを備える通信装置であって、前記プログラムを実行したとき、前記プロセッサは、請求項１から６の何れか一項に記載の方法を実行するか、または、請求項７から１６の何れか一項に記載の方法を実行する、通信装置。
【発明の詳細な説明】
【技術分野】
【０００１】
本出願は、通信技術分野に関し、特に、ダウンリンク制御チャネル指示方法、端末装置、およびネットワーク装置に関する。
【背景技術】
【０００２】
現在、無線通信システムにおけるキャリアは通常、周波数分割多重（ｆｒｅｑｕｅｎｃｙ  ｄｉｖｉｓｉｏｎ  ｍｕｌｔｉｐｌｅｘｉｎｇ、ＦＤＭ）によって配置される。キャリア配置中に、周波数オフセットに起因して周波数帯域が重なってそれぞれのキャリアの伝送に影響を与えることを回避するために、図１に示されているように、２つのキャリアの間にガードバンドが存在する。この規則は一般に、同じ規格、または異な規格間のキャリア配置に適用可能である。
【０００３】
前述のキャリア配置方法は、キャリアと周波数帯域との間の幅合わせを要求し、キャリアの帯域幅は通常、規格において固定されるものである。例えば、キャリアの帯域幅は、ユニバーサル移動体通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ＵＭＴＳ）において５ＭＨｚに固定され、ロングタームエボリューション（Ｌｏｎｇ  Ｔｅｒｍ  Ｅｖｏｌｕｔｉｏｎ、ＬＴＥ）においては、１．４ＭＨｚ、３ＭＨｚ、５ＭＨｚ、１０ＭＨｚ、１５ＭＨｚ、または２０ＭＨｚに固定される。これは、周波数帯域が不規則であるとき、周波数帯域リソースの無駄な配置となりやすくなる。
【０００４】
周波数帯域リソースの無駄な配置の問題を解決するべく、新しいアイデアが、２つのキャリア間で（３つの重なり方式、すなわち、部分的重なり、完全重なり、および過剰重なりを含む）直接重なりを許容することである。２つのキャリアの信号が、重なっているエリアにおける処理によって、同時に当該２つのキャリアに対応する周波数帯域上で柔軟に送信されることができ、周波数帯域を再使用し、キャリアを柔軟に配置する。
【０００５】
さらに、周波数帯域リソースの無駄な配置を回避するべく、現在の第５世代（５ｔｈ−Ｇｅｎｅｒａｔｉｏｎ、５Ｇ）の新規無線技術規格の議論過程において、２つのキャリア間の周波数帯域共存が、規格化される予定の課題である。当該課題において、２つの重なったキャリアが配置されたとき、端末装置により、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）時間−周波数リソースの位置をいかに決定し、そして、ダウンリンク制御情報におけるダウンリンクスケジューリング情報に基づき、リソース割り当てなどの情報を認識するかことが重要な問題である。
【発明の概要】
【０００６】
本願の実施形態は、ダウンリンク制御チャネル指示方法、端末装置、およびネットワーク装置を提供し、第１の時間−周波数リソースが部分的にまたは完全に第２の時間−周波数リソースと重なった（具体的には、２つのキャリアが互いに部分的にまたは完全に重なった）とき、端末装置が、ＰＤＣＣＨ時間−周波数リソースの位置を決定することを可能とする。以下の実施形態において、第１の時間−周波数リソースは、第５世代無線キャリア、新規無線（Ｎｅｗ  Ｒａｄｉｏ、ＮＲ）キャリア、ＬＴＥキャリア、または同様のものであってよく、第２の時間−周波数リソースは、ＬＴＥキャリア、ＵＭＴＳキャリア、グローバルシステムフォーモバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ（登録商標））キャリア、または同様のものであってよい。第１の時間−周波数リソースは、第２の時間−周波数リソースと異なる。
【０００７】
第１の態様によれば、本出願の実施形態は、ダウンリンク制御チャネル指示方法を提供し、当該方法は、端末装置が、ネットワーク装置により第１の時間−周波数リソースの予め設定された周波数帯域上で送信された指示情報を受信する段階であって、第１の時間−周波数リソースは第２の時間−周波数リソースと部分的にまたは完全に重なる、段階と、端末装置が、指示情報に従って、第１の時間−周波数リソースの物理ダウンリンク制御チャネルＰＤＣＣＨ時間−周波数リソースの位置を決定する段階とを備える。
【０００８】
本出願の本実施形態において提供されるダウンリンク制御チャネル指示方法によれば、第１の時間−周波数リソースが部分的にまたは完全に第２の時間−周波数リソースと重なったとき、端末装置は、ネットワーク装置により第１の時間−周波数リソースの予め設定された周波数帯域上で送信された指示情報を受信し、指示情報に従って、第１の時間−周波数リソースのＰＤＣＣＨ時間−周波数リソースの位置を決定する。そして、端末装置は、第１の時間−周波数リソースのＰＤＣＣＨの指示に従って、第１の時間−周波数リソースの強化型物理ダウンリンク制御チャネル（Ｅｎｈａｎｃｅｄ  ＰＤＣＣＨ、  ＥＰＤＣＣＨ）時間周波数リソースの位置を決定してよい。第２の時間−周波数リソースがＬＴＥキャリアであるとき、第１の時間−周波数リソースは、５Ｇキャリア（すなわち、第５世代無線キャリア、ＮＲキャリア、または同様のもの）である。この場合、本出願の本実施形態の本技術的解決手段において、５Ｇキャリアの端末装置は、指示情報に従って、５ＧキャリアのＰＤＣＣＨ時間−周波数リソースの位置を決定することができる。
【０００９】
第１の態様を参照すれば、第１の態様の第１の可能な実装方式において、第１の時間−周波数リソースが完全に第２の時間−周波数リソースと重なったとき、予め設定された周波数帯域は、第１の時間−周波数リソースのガードバンドと第２の時間−周波数リソースのガードバンドとの間の帯域間隔である。
【００１０】
本実装方式において、第１の時間−周波数リソースが第２の時間−周波数リソースと完全に重なったとき、第１の時間−周波数リソースのガードバンドおよび第２の時間−周波数リソースのガードバンドは、異なる帯域幅を有し、第１の時間−周波数リソースのガードバンドと第２の時間−周波数リソースのガードバンドとの間の帯域間隔が存在し、帯域間隔は、第２の時間−周波数リソースに対して干渉を受けない。従って、帯域間隔は、第１の時間−周波数リソースの予め設定された周波数帯域として用いられ得る。ネットワーク装置は、帯域間隔を用いることによって指示情報を送信する。
【００１１】
第１の態様を参照すれば、第１の態様の第２の可能な実装方式において、第２の時間−周波数リソースがＬＴＥキャリアアグリゲーション後に取得された時間周波数リソースであり、第１の時間−周波数リソースが第２の時間−周波数リソースと完全に重なったとき、予め設定された周波数帯域は、ＬＴＥキャリアアグリゲーションにおけるＬＴＥプライマリコンポーネントキャリアとＬＴＥセカンダリコンポーネントキャリアとの間のガードバンドであるか、または、ＬＴＥセカンダリコンポーネントキャリア間のガードバンドである。
【００１２】
本実装方式において、ＬＴＥキャリアアグリゲーションにおいて、ＬＴＥプライマリコンポーネントキャリアとＬＴＥセカンダリコンポーネントキャリアとの間、またはＬＴＥセカンダリコンポーネントキャリア間にガードバンドが存在し、ガードバンドはＬＴＥキャリアに対して干渉を受けない。従って、ガードバンドは、第１の時間−周波数リソースの予め設定された周波数帯域として用いられてよい。ネットワーク装置は、ガードバンドを用いることによって指示情報を送信する。
【００１３】
第１の態様を参照すれば、第１の態様の第３の可能な実装方式において、端末装置が、ネットワーク装置により、第１の時間−周波数リソースの予め設定された周波数帯域上で送信された指示情報を受信する段階は、端末装置が、ネットワーク装置により第１の時間−周波数リソースの物理ブロードキャストチャネルＰＢＣＨ上で送信された指示情報を受信する段階を含む。
【００１４】
本実装方式において、第１の時間−周波数リソースの予め設定された周波数帯域は、第１の時間−周波数リソースの物理ブロードキャストチャネルＰＢＣＨであり、ネットワーク装置は、ＰＢＣＨを用いることによって、指示情報を端末装置へ送信し、第１の時間−周波数リソースのＰＤＣＣＨ時間−周波数リソースの位置を柔軟に示し、第２の時間−周波数リソース上の既存信号との衝突を回避し得る。
【００１５】
第１の態様の第３の可能な実装方式を参照すれば、第１の態様の第４の可能な実装方式において、ＰＢＣＨは、直交周波数分割多重ＯＦＤＭシンボルレベルでの時間領域オフセットおよび／または物理リソースブロックＰＲＢレベルでの周波数領域オフセットを含んでよい。
【００１６】
第１の態様または第１の態様の第１から第４の可能な実装方式のうち任意の１つを参照すれば、第１の態様の第５の可能な実装方式において、指示情報は、物理制御フォーマットインジケータチャネルＰＣＦＩＣＨを含む。端末装置が、指示情報に従って第１の時間−周波数リソースの物理ダウンリンク制御チャネルＰＤＣＣＨ時間−周波数リソースの位置を決定する段階は、端末装置が、ＰＣＦＩＣＨに基づき、第１の時間−周波数リソースの制御エリアを決定する段階であって、ＰＣＦＩＣＨは、制御エリアに位置するか、または制御エリアの外部の別の周波数帯域に位置する、段階と、端末装置が、制御エリアにおいてブラインド検出を実行して、第１の時間−周波数リソースのＰＤＣＣＨ時間−周波数リソースの位置を決定する段階とを含む。
【００１７】
本実装方式において、具体的な実装プロセスにおいて、ＰＣＦＩＣＨは、自給型指示であってよく、具体的には、ＰＣＦＩＣＨは、第１の時間−周波数リソースの制御エリアに位置してよく、または、第１の時間−周波数リソースの制御エリアの外部の別の周波数帯域に位置してよい。端末装置は、ＰＣＦＩＣＨの指示に従って第１の時間−周波数リソースの制御エリアを決定する。そして、端末装置は、第１の時間−周波数リソースの制御エリアにおいてブラインド検出を実行して、第１の時間−周波数リソースのＰＤＣＣＨ時間−周波数リソースの位置を決定する。
【００１８】
第１の態様の第５の可能な実装方式を参照すれば、第１の態様の第６の可能な実装方式において、方法は、予め設定された周波数帯域が第２の時間−周波数リソースにより占有されたとき、端末装置が、第１の時間−周波数リソースの候補周波数帯域に対してブラインド検出を実行して、ＰＣＦＩＣＨを取得する段階であって、候補周波数帯域は、第１の時間−周波数リソース上の予め設定された周波数帯域以外の全て他の周波数帯域であるか、または第１の時間−周波数リソース上の予め設定された周波数帯域の外部の特定の位置にある周波数帯域である、段階をさらに備える。
【００１９】
実際の応用において、予め設定された周波数帯域は、第２の時間−周波数リソースにより占有されてよく、予め設定された周波数帯域は、第１の時間−周波数リソースにより占有されることができず、ＰＣＦＩＣＨを送信するために用いられることもできない。この場合、ネットワーク装置は、第１の時間−周波数リソースの候補周波数帯域上でＰＣＦＩＣＨを送信し得て、端末装置は、候補周波数帯域に対してブラインド検出を実行してＰＣＦＩＣＨを取得し得る。ブラインド検出によってＰＣＦＩＣＨを取得した後に、端末装置は、ＰＣＦＩＣＨに基づき、第１の時間−周波数リソースの制御エリアを決定して得て、さらに、制御エリアにいてブラインド検出を実行して第１の時間−周波数リソースのＰＤＣＣＨ時間−周波数リソースの位置を決定する。候補周波数帯域は、第１の時間−周波数リソース上の予め設定された周波数帯域以外の全て他の周波数帯域であってよい。代わりに、第１の時間−周波数リソース上の予め設定された周波数帯域の外部の特定の位置にある周波数帯域は、候補周波数帯域として用いられ得る。例えば、予め設定された周波数帯域に近接する１または複数のＯＦＤＭシンボルは、候補周波数帯域として用いられてよい。
【００２０】
第１の態様または第１の態様の第１から第４の可能な実装方式のうち任意の１つを参照すれば、第１の態様の第７の可能な実装方式において、指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。端末装置が、指示情報に従って、第１の時間−周波数リソースの物理ダウンリンク制御チャネルＰＤＣＣＨ時間−周波数リソースの位置を決定する段階は、端末装置が、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とに基づき、第１の時間−周波数リソースの物理ダウンリンク制御チャネルＰＤＣＣＨ時間−周波数リソースの位置を決定する段階を含む。
【００２１】
本実装方式において、指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。端末装置は、指示情報に含まれる時間領域開始直交周波数分割多重ＯＦＤＭシンボル、時間領域ＯＦＤＭシンボルの数、周波数領域開始物理リソースブロックＰＲＢ、および周波数領域ＰＲＢの数に基づき、第１の時間−周波数リソースの物理ダウンリンク制御チャネルＰＤＣＣＨ時間−周波数リソースの位置を直接決定し得る。本実装方式において、端末装置は、第１の時間−周波数リソースの制御エリアを認識する必要がない。従って、本実装方式において、第１の時間−周波数リソースの物理ダウンリンク制御チャネルＰＤＣＣＨ時間−周波数リソースの位置を決定する処理がより容易である。
【００２２】
第２の態様によれば、本出願の実施形態は、ダウンリンク制御チャネル指示方法を提供し、当該方法は、ネットワーク装置が、第１の時間−周波数リソース上で予め設定された周波数帯域を決定する段階であって、第１の時間−周波数リソースは部分的にまたは完全に第２の時間−周波数リソースと重なる、段階と、ネットワーク装置が、予め設定された周波数帯域上で指示情報を送信する段階であって、指示情報は、物理制御フォーマットインジケータチャネルＰＣＦＩＣＨを含むか、または時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む、段階とを備える。
【００２３】
本出願の本実施形態において提供されているダウンリンク制御チャネル指示方法によれば、第１の時間−周波数リソースが部分的にまたは完全に第２の時間−周波数リソースと重なったとき、ネットワーク装置は、第１の時間−周波数リソースの予め設定された周波数帯域上で指示情報を送信する。指示情報を受信したとき、端末装置は、指示情報に従って第１の時間−周波数リソースのＰＤＣＣＨ時間−周波数リソースの位置を決定し得る。そして、端末装置は、第１の時間−周波数リソースのＰＤＣＣＨの指示に従って、第１の時間−周波数リソースのＥＰＤＣＣＨ時間周波数リソースの位置を決定してよい。
【００２４】
第２の態様を参照すれば、第２の態様の第１の可能な実装方式において、第１の時間−周波数リソースが完全に第２の時間−周波数リソースと重なったとき、予め設定された周波数帯域は、第１の時間−周波数リソースのガードバンドと第２の時間−周波数リソースのガードバンドとの間の帯域間隔である。
【００２５】
本実装方式において、第１の時間−周波数リソースが完全に第２の時間−周波数リソースと重なったとき、第１の時間−周波数リソースのガードバンドおよび第２の時間−周波数リソースのガードバンドは異なる帯域幅を有し、第１の時間−周波数リソースのガードバンドと第２の時間−周波数リソースのガードバンドとの間に帯域間隔が存在し、帯域間隔は、第２の時間−周波数リソースに対して干渉を受けない。従って、帯域間隔は、第１の時間−周波数リソースの予め設定された周波数帯域として用いられてよい。ネットワーク装置は、帯域間隔を用いることによって指示情報を送信する。
【００２６】
第２の態様を参照すれば、第２の態様の第２の可能な実装方式において、第２の時間−周波数リソースがＬＴＥキャリアアグリゲーション後に取得された時間周波数リソースであり、第１の時間−周波数リソースが完全に第２の時間−周波数リソースと重なったとき、予め設定された周波数帯域は、ＬＴＥキャリアアグリゲーションにおけるＬＴＥプライマリコンポーネントキャリアとＬＴＥセカンダリコンポーネントキャリアとの間のガードバンドであるか、または、ＬＴＥセカンダリコンポーネントキャリア間のガードバンドである。
【００２７】
本実装方式において、ＬＴＥキャリアアグリゲーションにおいて、ＬＴＥプライマリコンポーネントキャリアとＬＴＥセカンダリコンポーネントキャリアとの間、またはＬＴＥセカンダリコンポーネントキャリア間にガードバンドが存在し、ガードバンドは、ＬＴＥキャリアに対して干渉を受けない。従って、ガードバンドは、第１の時間−周波数リソースの予め設定された周波数帯域として用いられ得る。ネットワーク装置は、ガードバンドを用いることによって指示情報を送信する。
【００２８】
第２の態様を参照すれば、第２の態様の第３の可能な実装方式において、予め設定された周波数帯域は、第１の時間−周波数リソースの物理ブロードキャストチャネルＰＢＣＨに位置する周波数帯域である。
【００２９】
本実装方式において、第１の時間−周波数リソースの予め設定された周波数帯域は、第１の時間−周波数リソースの物理ブロードキャストチャネルＰＢＣＨであり、ネットワーク装置は、ＰＢＣＨを用いることによって指示情報を端末装置へ送信し、第１の時間−周波数リソースのＰＤＣＣＨ時間−周波数リソースの位置を柔軟に示し、第２の時間−周波数リソース上の既存信号との衝突を回避し得る。
【００３０】
第２の態様または第２の態様の第１から第３の可能な実装方式のうち任意の１つを参照すれば、第２の態様の第４の可能な実装方式において、方法は、予め設定された周波数帯域が第２の時間−周波数リソースにより占有されたとき、ネットワーク装置が、第１の時間−周波数リソースの候補周波数帯域上でＰＣＦＩＣＨを送信する段階であって、候補周波数帯域は、第１の時間−周波数リソース上の予め設定された周波数帯域以外の全ての他の周波数帯域であるか、または第１の時間−周波数リソース上の予め設定された周波数帯域の外部の特定の位置にある周波数帯域である、段階とをさらに備える。
【００３１】
実際の応用において、予め設定された周波数帯域は、第２の時間−周波数リソースにより占有されてよく、予め設定された周波数帯域は、第１の時間−周波数リソースにより占有されることができず、ＰＣＦＩＣＨを送信するために用いられることもできない。この場合、ネットワーク装置は、第１の時間−周波数リソースの候補周波数帯域上でＰＣＦＩＣＨを送信し得て、端末装置は、候補周波数帯域に対してブラインド検出を実行してＰＣＦＩＣＨを取得し得る。ブラインド検出によってＰＣＦＩＣＨを取得した後に、端末装置は、ＰＣＦＩＣＨに基づき、第１の時間−周波数リソースの制御エリアを決定し得て、制御エリアにおいてブラインド検出をさらに実行して第１の時間−周波数リソースのＰＤＣＣＨ時間−周波数リソースの位置を決定し得る。候補周波数帯域は、第１の時間−周波数リソース上の予め設定された周波数帯域以外の全ての他の周波数帯域であってよい。代わりに、第１の時間−周波数リソース上の予め設定された周波数帯域の外部の特定の位置にある周波数帯域は、候補周波数帯域として用いられてよい。例えば、予め設定された周波数帯域に近接する１または複数のＯＦＤＭシンボルは、候補周波数帯域として用いられてよい。
【００３２】
第２の態様の第３の可能な実装方式を参照すれば、第２の態様の第５の可能な実装方式において、ＰＢＣＨは、直交周波数分割多重ＯＦＤＭシンボルレベルでの時間領域オフセット、および／または物理リソースブロックＰＲＢレベルでの周波数領域オフセットを含んでよい。
【００３３】
第３の態様によれば、本出願の実施形態は、端末装置を提供し、当該端末装置は、ネットワーク装置により第１の時間−周波数リソースの予め設定された周波数帯域上で送信された指示情報を受信するよう構成される受信モジュールであって、第１の時間−周波数リソースは、部分的にまたは完全に第２の時間−周波数リソースと重なる、受信モジュールと、指示情報に従って、第１の時間−周波数リソースの物理ダウンリンク制御チャネルＰＤＣＣＨ時間−周波数リソースの位置を決定するよう構成される処理モジュールとを備える。
【００３４】
本出願の本実施形態において提供される端末装置によれば、第１の時間−周波数リソースが部分的にまたは完全に第２の時間−周波数リソースと重なったとき、端末装置は、ネットワーク装置により第１の時間−周波数リソースの予め設定された周波数帯域上で送信された指示情報を受信し、指示情報に従って、第１の時間−周波数リソースのＰＤＣＣＨ時間−周波数リソースの位置を決定する。そして、端末装置は、第１の時間−周波数リソースのＰＤＣＣＨの指示に従って、第１の時間−周波数リソースのＥＰＤＣＣＨ時間周波数リソースの位置を決定してよい。第２の時間−周波数リソースがＬＴＥキャリアである場合、第１の時間−周波数リソースは、５Ｇキャリア（すなわち、第５世代無線キャリア、ＮＲキャリア、または同様のもの）である。この場合、本出願の本実施形態の本技術的解決手段において、５Ｇキャリアの端末装置は、指示情報に従って、５ＧキャリアのＰＤＣＣＨ時間−周波数リソースの位置を決定することができる。
【００３５】
第３の態様を参照すれば、第３の態様の第１の可能な実装方式において、第１の時間−周波数リソースが完全に第２の時間−周波数リソースと重なったとき、予め設定された周波数帯域は、第１の時間−周波数リソースのガードバンドと第２の時間−周波数リソースのガードバンドとの間の帯域間隔である。
【００３６】
第３の態様を参照すれば、第３の態様の第２の可能な実装方式において、第２の時間−周波数リソースがＬＴＥキャリアアグリゲーション後に取得された時間周波数リソースであり、第１の時間−周波数リソースが完全に第２の時間−周波数リソースと重なったとき、予め設定された周波数帯域は、ＬＴＥキャリアアグリゲーションにおけるＬＴＥプライマリコンポーネントキャリアとＬＴＥセカンダリコンポーネントキャリアとの間のガードバンドであるか、または、ＬＴＥセカンダリコンポーネントキャリア間のガードバンドである。
【００３７】
第３の態様を参照すれば、第３の態様の第３の可能な実装方式において、受信モジュールは具体的に、ネットワーク装置により第１の時間−周波数リソースの物理ブロードキャストチャネルＰＢＣＨ上で送信された指示情報を受信するよう構成される。
【００３８】
第３の態様の第３の可能な実装方式を参照すれば、第３の態様の第４の可能な実装方式において、ＰＢＣＨは、直交周波数分割多重ＯＦＤＭシンボルレベルでの時間領域オフセット、および／または物理リソースブロックＰＲＢレベルでの周波数領域オフセットを含んでよい。
【００３９】
第３の態様または第３の態様の第１から第４の可能な実装方式のうち任意の１つを参照すれば、第３の態様の第５の可能な実装方式において、指示情報は、物理制御フォーマットインジケータチャネルＰＣＦＩＣＨを含む。処理モジュールは具体的に、制御エリアに位置するか、または、制御エリアの外部の別の周波数帯域に位置するＰＣＦＩＣＨに基づき、第１の時間−周波数リソースの制御エリアを決定し、制御エリアにおいてブラインド検出を実行して第１の時間−周波数リソースのＰＤＣＣＨ時間−周波数リソースの位置を決定するよう構成される。
【００４０】
第３の態様の第５の可能な実装方式を参照すれば、第３の態様の第６の可能な実装方式において、処理モジュールはさらに、予め設定された周波数帯域が第２の時間−周波数リソースにより占有されたとき、端末装置が第１の時間−周波数リソースの候補周波数帯域に対してブラインド検出を実行して、ＰＣＦＩＣＨを取得する、よう構成され、候補周波数帯域は、第１の時間−周波数リソース上の予め設定された周波数帯域以外の全ての他の周波数帯域であるか、または、第１の時間−周波数リソース上の予め設定された周波数帯域の外部の特定の位置にある周波数帯域である。
【００４１】
第３の態様または第３の態様の第１から第４の可能な実装方式のうち任意の１つを参照すれば、第３の態様の第７の可能な実装方式において、指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。処理モジュールは具体的に、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とに基づき、第１の時間−周波数リソースの物理ダウンリンク制御チャネルＰＤＣＣＨ時間−周波数リソースの位置を決定するよう構成される。
【００４２】
第４の態様によれば、本出願の実施形態は、ネットワーク装置を提供し、当該ネットワーク装置は、第１の時間−周波数リソース上で予め設定された周波数帯域を決定するよう構成される処理モジュールであって、第１の時間−周波数リソースは部分的にまたは完全に第２の時間−周波数リソースと重なる、処理モジュールと、予め設定された周波数帯域上で指示情報を送信するよう構成される送信モジュールであって、指示情報は、物理制御フォーマットインジケータチャネルＰＣＦＩＣＨを含むか、または時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む、送信モジュールとを備える。
【００４３】
本出願の本実施形態において提供されているネットワーク装置によれば、第１の時間−周波数リソースが部分的にまたは完全に第２の時間−周波数リソースと重なったとき、ネットワーク装置は、第１の時間−周波数リソースの予め設定された周波数帯域上で指示情報を送信する。指示情報を受信したとき、端末装置は、指示情報に従って、第１の時間−周波数リソースのＰＤＣＣＨ時間−周波数リソースの位置を決定し得る。そして、端末装置は、第１の時間−周波数リソースのＰＤＣＣＨの指示に従って、第１の時間−周波数リソースの時間周波数リソースのＥＰＤＣＣＨの位置を決定し得る。
【００４４】
第４の態様を参照すれば、第４の態様の第１の可能な実装方式において、第１の時間−周波数リソースが完全に第２の時間−周波数リソースと重なったとき、予め設定された周波数帯域は、第１の時間−周波数リソースのガードバンドと第２の時間−周波数リソースのガードバンドとの間の帯域間隔である。
【００４５】
第４の態様を参照すれば、第４の態様の第２の可能な実装方式において、第２の時間−周波数リソースがＬＴＥキャリアアグリゲーション後に取得された時間周波数リソースであり、第１の時間−周波数リソースが第２の時間−周波数リソースと完全に重なったとき、予め設定された周波数帯域は、ＬＴＥキャリアアグリゲーションにおけるＬＴＥプライマリコンポーネントキャリアとＬＴＥセカンダリコンポーネントキャリアとの間のガードバンドであるか、または、ＬＴＥセカンダリコンポーネントキャリア間のガードバンドである。
【００４６】
第４の態様を参照すれば、第４の態様の第３の可能な実装方式において、予め設定された周波数帯域は、第１の時間−周波数リソースの物理ブロードキャストチャネルＰＢＣＨが位置する周波数帯域である。
【００４７】
第４の態様または第４の態様の第１から第３の可能な実装方式のうち任意の１つを参照すれば、第４の態様の第４の可能な実装方式いおいて、送信モジュールはさらに、予め設定された周波数帯域が第２の時間−周波数リソースにより占有されたとき、第１の時間−周波数リソースの候補周波数帯域上でＰＣＦＩＣＨを送信するよう構成され、候補周波数帯域は、第１の時間−周波数リソース上の予め設定された周波数帯域以外の全ての他の周波数帯域であるか、または第１の時間−周波数リソース上の予め設定された周波数帯域の外部の特定の位置にある周波数帯域である。
【００４８】
第４の態様の第３の可能な実装方式を参照すれば、第４の態様の第５の可能な実装方式において、ＰＢＣＨは、直交周波数分割多重ＯＦＤＭシンボルレベルでの時間領域オフセット、および／または物理リソースブロックＰＲＢレベルでの周波数領域オフセットを含んでよい。
【００４９】
第５の態様によれば、本出願の実施形態は、プロセッサおよび送受信モジュールを備える端末装置を提供する。送受信モジュールは、ネットワーク装置により第１の時間−周波数リソースの予め設定された周波数帯域上で送信された指示情報を受信するよう構成され、第１の時間−周波数リソースは、部分的にまたは完全に第２の時間−周波数リソースと重なる。プロセッサは、指示情報に従って、第１の時間−周波数リソースの物理ダウンリンク制御チャネルＰＤＣＣＨ時間−周波数リソースの位置を決定するよう構成される。
【００５０】
第６の態様によれば、本出願の実施形態は、コンピュータ記憶媒体を提供する。コンピュータ記憶媒体は、プログラムを記憶してよく、プログラムが実行されたとき、本出願の第１の態様の実施形態における任意の可能な実装方式に係るダウンリンク制御チャネル指示方法が実行され得る。
【００５１】
第６の態様によれば、本出願の実施形態は、プロセッサと送受信機とを備えるネットワーク装置を提供する。プロセッサは、第１の時間−周波数リソース上で予め設定された周波数帯域を決定するよう構成され、第１の時間−周波数リソースは、部分的にまたは完全に第２の時間−周波数リソースと重なる。送受信機は、予め設定された周波数帯域上で指示情報を送信するよう構成され、指示情報は、物理制御フォーマットインジケータチャネルＰＣＦＩＣＨを含むか、または、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。
【００５２】
第６の態様によれば、本出願の実施形態は、コンピュータ記憶媒体を提供する。コンピュータ記憶媒体は、プログラムを記憶してよく、プログラムが実行されたとき、本出願の第２の態様の実施形態における任意の可能な実装方式に係るダウンリンク制御チャネル指示方法が実行され得る。  具体的な内容が以下の通りである。
【図面の簡単な説明】
【００５３】
本願の実施形態における技術的解決手段をより明確に説明するために、以下では、実施形態または従来技術を説明するために要求される添付図面を簡潔的に説明する。
【００５４】
【図１】従来のキャリア配置の概略図である。
【００５５】
【図２】本出願の実施形態に係る応用シナリオの概略図である。
【００５６】
【図３】本出願の実施形態に係るダウンリンク制御チャネル指示方法のフローチャートである。
【００５７】
【図４】本出願の実施形態に係るＮＲキャリアの予め設定された周波数帯域の概略図である。
【００５８】
【図５】本出願の実施形態に係るＮＲキャリアの別の予め設定された周波数帯域の概略図である。
【００５９】
【図６】本出願の実施形態に係る第１の時間−周波数リソースの制御エリアの概略図である。
【００６０】
【図７】本出願の実施形態に係る第１の時間−周波数リソースにおけるＰＤＣＣＨ時間−周波数リソースの位置の概略図である。
【００６１】
【図８】本出願の実施形態に係る別のダウンリンク制御チャネル指示方法のフローチャートである。
【００６２】
【図９】本出願の実施形態に係るＬＴＥキャリアにおけるＰＤＣＣＨ時間−周波数リソースの指示方式の概略図である。
【００６３】
【図１０】本出願の実施形態に係る端末装置の概略図である。
【００６４】
【図１１】本出願の実施形態に係るネットワーク装置の概略図である。
【００６５】
【図１２】本出願の実施形態に係る端末装置の概略構造図である。
【００６６】
【図１３】本出願の実施形態に係るネットワーク装置の概略構造図である。
【発明を実施するための形態】
【００６７】
当業者が本願の実施形態における技術的解決手段をより良く理解し、本願の実施形態の目的、特徴、および利点をより明白にするために、以下ではさらに、添付図面を参照して、本願の実施形態における技術的解決手段を詳細に説明する。
【００６８】
本願の実施形態の技術的解決手段を説明する前に、本願の実施形態の応用シナリオはまず、添付図面を参照して説明される。図２は、本出願の実施形態に係る応用シナリオの概略図である。応用シナリオにおいて、第１の時間−周波数リソースは部分的にまたは完全に第２の時間−周波数リソースと重なる。応用シナリオにおいて、端末装置２１およびネットワーク装置２２が存在する。以下の実施形態において、第５世代無線キャリア、ＮＲキャリア、ＬＴＥキャリア、または同様のものは、第１の時間−周波数リソースに対応する周波数帯域に配置され得て、ＬＴＥキャリア、ＵＭＴＳキャリア、ＧＳＭ（登録商標）キャリア、または同様のは、第２の時間−周波数リソースに対応する周波数帯域に配置され得る。第１の時間−周波数リソースは、第２の時間−周波数リソースと異なる。
【００６９】
本出願の本実施形態において、具体的な実装プロセスにおいて、端末装置２１は、音声および／またはデータ接続性をユーザに提供する装置、無線接続機能を有するハンドヘルド装置、または無線モデムに接続される別の処理装置であってよい。端末装置２１は、無線アクセスネットワーク（ｒａｄｉｏ  ａｃｃｅｓｓ  ｎｅｔｗｏｒｋ、ＲＡＮ）を介して１または複数のコアネットワークと通信し得る。端末装置２１は、移動端末、例えば、携帯電話（または、「セルラ」電話と称される）または移動端末をううするコンピュータであってよい。例えば、端末装置２１は、ポータブル、ポケットサイズの、ハンドヘルド、コンピュータ内蔵型、または車載型の、無線アクセスネットワークと言語および／またはデータを交換するモバイル装置、例えば、パーソナルコミュニケーションサービス（ｐｅｒｓｏｎａｌ  ｃｏｍｍｕｎｉｃａｔｉｏｎ  ｓｅｒｖｉｃｅ、ＰＣＳ）電話、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、または、パーソナルデジタルアシスタント（ｐｅｒｓｏｎａｌ  ｄｉｇｉｔａｌ  ａｓｓｉｓｔａｎｔ、ＰＤＡ）などの装置であってよい。端末装置２１は、システム、加入者ユニット（ｓｕｂｓｃｒｉｂｅｒ  ｕｎｉｔ、ＳＵ）、加入者局（ｓｕｂｓｃｒｉｂｅｒ  ｓｔａｔｉｏｎ、ＳＳ）移動局（ｍｏｂｉｌｅ  ｓｔａｔｉｏｎ、ＭＳ）、遠隔局（ｒｅｍｏｔｅ  ｓｔａｔｉｏｎ、ＲＳ）、アクセスポイント（ａｃｃｅｓｓ  ｐｏｉｎｔ、ＡＰ）、遠隔端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザ端末（ｕｓｅｒ  ｔｅｒｍｉｎａｌ、ＵＴ）、ユーザエージェント（ｕｓｅｒ  ａｇｅｎｔ、ＵＡ）、ユーザ装置、またはユーザ機器（ｕｓｅｒ  ｅｑｕｉｐｍｅｎｔ、ＵＥ）と称されてもよい。ネットワーク装置２２は、基地局、強化型基地局、スケジューリング機能を有する中継、基地局機能を有する装置、または同様のものと称されてよい。基地局は、ＬＴＥシステムにおける進化型ノードＢ（ｅｖｏｌｖｅｄ  Ｎｏｄｅ  Ｂ，  ｅＮＢ）であってよく、または、別のシステムにおける基地局であってよい。このことは、本出願の本実施形態に限定されるものではない。
【００７０】
本願の実施形態において、ネットワーク装置２２は、第１の時間−周波数リソースの予め設定された周波数帯域上で指示情報を送信してよく、端末装置２１は、ネットワーク装置２２により送信された指示情報を受信してよい。端末装置２１は、指示情報に従って、第１の時間−周波数リソースの物理ダウンリンク制御チャネルＰＤＣＣＨ時間−周波数リソースの位置を決定してよい。本願の実施形態において、具体的な実装プロセスにおいて、第１の時間−周波数リソースの予め設定された周波数帯域、およびネットワーク装置２２により予め設定された周波数帯域上で送信された指示情報はそれぞれ、複数の存在形態を有する。指示情報が異なるとき、端末装置２１により、指示情報に従って第１の時間−周波数リソースの物理ダウンリンク制御チャネルＰＤＣＣＨ時間−周波数リソースの位置を決定する方式も異なる。第１の時間−周波数リソースの物理ダウンリンク制御チャネルＰＤＣＣＨ時間−周波数リソースの位置を決定した後に、端末装置２１は、第１の時間−周波数リソースのＰＤＣＣＨの指示に従って、第１の時間−周波数リソースの時間周波数リソースのＥＰＤＣＣＨの位置を決定してよい。
【００７１】
理解を容易にするために、図２において示されている応用シナリオにおける端末装置２１およびネットワーク装置２２の段階は、特定の実施形態を用いることによって以下において説明される。
【００７２】
図３は、本出願の実施形態に係るダウンリンク制御チャネル指示方法のフローチャートである。本実施形態は、端末装置２１により実行される。具体的に、本実施形態は、以下の段階を含む。
【００７３】
段階Ｓ３１０において、端末装置２１は、ネットワーク装置２２により第１の時間−周波数リソースの予め設定された周波数帯域上で送信された指示情報を受信する。
【００７４】
第１の時間−周波数リソースは部分的にまたは完全に第２の時間−周波数リソースと重なる。
【００７５】
本実施形態において、第１の時間−周波数リソースが完全に第２の時間−周波数リソースと重なったとき、第１の時間−周波数リソースは、第２の時間−周波数リソースと異なる。従って、第１の時間−周波数リソースのガードバンドおよび第２の時間−周波数リソースのガードバンドは異なる帯域幅を有し、具体的には、第１の時間−周波数リソースのガードバンドと第２の時間−周波数リソースのガードバンドとの間に帯域間隔が存在し、帯域間隔は、第２の時間−周波数リソースに対して干渉を受けない。従って、本出願の本実施形態の具体的な実装方式において、第１の時間−周波数リソースのガードバンドと第２の時間−周波数リソースのガードバンドとの間の帯域間隔は、第１の時間−周波数リソースの予め設定された周波数帯域として用いられ得る。第１の時間−周波数リソースがＮＲキャリアであり、第２の時間−周波数リソースがＬＴＥであるという例が以下で説明のために用いられる。
【００７６】
図４において示されているように、ＮＲキャリアが完全にＬＴＥキャリアと重なったとき、ＬＴＥキャリアアカウントのガードバンド４１が、帯域幅の１０％を占め、具体的には、両側のそれぞれのＬＴＥキャリアのガードバンドは、帯域幅の５％を占める。現在、ＮＲキャリアアカウントのガードバンド４２が帯域幅の１０％未満を占めると決定されている。従って、ＬＴＥキャリアのガードバンド４１と、ＮＲキャリアのガードバンド４２との間に帯域間隔４３が存在し、帯域間隔４３は、ＬＴＥキャリアに対して干渉を受けない。当該シナリオにおいて、帯域間隔４３は、ＮＲキャリアの予め設定された周波数帯域として用いられ得る。ネットワーク装置２２は、帯域間隔４３を用いることによって指示情報を送信し得て、端末装置２１は、帯域間隔４３上で指示情報を受信し得る。
【００７７】
加えて、伝送速度が、高度モバイルブロードバンドｅＭＢＢシナリオにおいて大いに改善されることができることを考慮すると、第１の時間−周波数リソースが、第５世代無線キャリアまたはＮＲキャリアなどの５Ｇキャリアである場合、高帯域幅を有するｅＭＢＢは、導入されるとみなされ得る。この場合、第１の時間−周波数リソースが完全に第２の時間−周波数リソースと重なったとき、第２の時間−周波数リソースは、ＬＴＥキャリアアグリゲーション後に取得された時間周波数リソースに設定されてよく、ＬＴＥキャリアアグリゲーションにおけるＬＴＥプライマリコンポーネントキャリアとＬＴＥセカンダリコンポーネントキャリアとの間のガードバンド、またはＬＴＥセカンダリコンポーネントキャリア間のガードバンドが、利用のための予め設定された周波数帯域として用いられる。第１の時間−周波数リソースがＮＲキャリアであり、第２の時間−周波数リソースがＬＴＥキャリアアグリゲーション後に取得された時間周波数リソースであるという例が説明のために以下において用いられる。
【００７８】
例えば、ＮＲキャリアは、４０ＭＨｚの帯域幅を有し、ＬＴＥキャリアアグリゲーション後に取得された時間周波数リソースは、２つの２０−ＭＨｚのＬＴＥキャリアのアグリゲーションによって形成される。図５に示されているように、両端のそれぞれの１．８４２５−ＭＨｚのガードバンド５１、および１８．０１５−ＭＨｚの利用可能な周波数帯域５２を除き、ＬＴＥプライマリコンポーネントキャリアとＬＴＥセカンダリコンポーネントキャリアとの間、またはＬＴＥセカンダリコンポーネントキャリア間に、２８５−ＫＨｚのガードバンド５３が依然として存在する。ガードバンド５３は、第２の時間−周波数リソースに対して干渉を受けない。従って、ガードバンド５３は、ＮＲキャリアの予め設定された周波数帯域として用いられ得る。ネットワーク装置２２は、ガードバンド５３を用いることによって指示情報を送信し得て、端末装置２１は、ガードバンド５３上で指示情報を受信し得る。ここで、ガードバンド５１の帯域幅、利用可能な周波数帯域５２、およびガードバンド５３は、実際の状況に基づき、調整され得ることに留意するべきである。
【００７９】
本実施形態において、第１の時間−周波数リソースの予め設定された周波数帯域は代わりに、第１の時間−周波数リソースのＰＢＣＨ（物理ブロードキャストチャネル、ｐｈｙｓｉｃａｌ  ｂｒｏａｄｃａｓｔ  ｃｈａｎｎｅｌ）により占有された周波数帯域であってよい。ネットワーク装置２２は、ＰＢＣＨを用いることによって指示情報を端末装置２１へ送信して、第１の時間−周波数リソースのＰＤＣＣＨ時間−周波数リソースの位置を柔軟に示し、第２の時間−周波数リソース上の既存信号との衝突を回避し得る。
【００８０】
本実施形態において、ネットワーク装置２２により第１の時間−周波数リソースの予め設定された周波数帯域上で送信された指示情報は、複数の存在形態を有し得る。例えば、指示情報は、物理制御フォーマットインジケータチャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）を含んでよい。別の例において、指示情報は、時間領域開始直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルと、時間領域ＯＦＤＭシンボルの数と、周波数領域開始物理リソースブロック（ｐｈｙｓｉｃａｌ  ｒｅｓｏｕｒｃｅ  ｂｌｏｃｋ、ＰＲＢ）と、周波数領域ＰＲＢの数とを含んでよい。
【００８１】
段階Ｓ３２０において、端末装置２１は、指示情報に従って、第１の時間−周波数リソースの物理ダウンリンク制御チャネルＰＤＣＣＨ時間−周波数リソースの位置を決定する。
【００８２】
本出願の本実施形態において、具体的な実装プロセスでは、段階Ｓ３１０において端末装置２１により受信された指示情報の異なる表現形式に基づき、段階Ｓ３２０は、それに応じて、異なる形式において実行される。
【００８３】
例えば、段階Ｓ３１０において端末装置２１により受信された指示情報が物理制御フォーマットインジケータチャネルＰＣＦＩＣＨを含むとき、段階Ｓ３２０は、端末装置２１が、ＰＣＦＩＣＨに基づき、第１の時間−周波数リソースの制御エリアを決定する段階と、端末装置２１が、第１の時間−周波数リソースの制御エリアにおいてブラインド検出を実行して、第１の時間−周波数リソースのＰＤＣＣＨ時間−周波数リソースの位置を決定する段階とを含んでよい。
【００８４】
ＰＣＦＩＣＨは、第１の時間−周波数リソースの制御エリアが位置する時間周波数リソースの位置情報を含む。第１の時間−周波数リソースの制御エリアが位置するＰＲＢがプロトコルにおいて合意されたとき、位置情報は、第１の時間−周波数リソースの制御エリアが位置するＯＦＤＭシンボルの時間領域情報である。第１の時間−周波数リソースの制御エリアが位置するＯＦＤＭシンボルがプロトコルにおいて合意されたとき、位置情報は、第１の時間−周波数リソースの制御エリアが位置するＰＲＢの周波数領域情報である。位置情報は代わりに、第１の時間−周波数リソースの制御エリアが位置するＰＲＢの周波数領域情報、および第１の時間−周波数リソースの制御エリアが位置するＯＦＤＭシンボルの時間領域情報の両方を含んでよい。端末装置２１は、位置情報に基づき、第１の時間−周波数リソースの制御エリアを決定してよい。
【００８５】
本実装方式において、具体的な実装プロセスにおいて、ＰＣＦＩＣＨは、自給型指示であってよく、具体的には、ＰＣＦＩＣＨは、第１の時間−周波数リソースの制御エリアに位置してよい。この場合、第１の時間−周波数リソースの制御エリアは、予め設定された周波数帯域と重なる。ＰＣＦＩＣＨは代わりに、第１の時間−周波数リソースの制御エリアの外部の別の周波数帯域に位置し得る。この場合、第１の時間−周波数リソースの制御エリアは、予め設定された周波数帯域と重ならない。
【００８６】
本実装方式における実装プロセスについては、図６を参照されたい。ＰＣＦＩＣＨを受信した後に、端末装置２１は、ＰＣＦＩＣＨの指示に従って第１の時間−周波数リソースの制御エリア６１を決定する。そして、端末装置２１は、第１の時間−周波数リソースの制御エリア６１においてブラインド検出を実行して、第１の時間−周波数リソースのＰＤＣＣＨ時間−周波数リソースの位置を決定する。
【００８７】
別の例において、段階Ｓ３１０において端末装置２１により受信された指示情報が開始時間領域直交周波数分割多重ＯＦＤＭシンボルと、時間領域ＯＦＤＭシンボルの数と、周波数領域開始物理リソースブロックＰＲＢと、周波数領域ＰＲＢの数とを含むとき、段階Ｓ３２０は、端末装置２１が、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とに基づき、第１の時間−周波数リソースの物理ダウンリンク制御チャネルＰＤＣＣＨ時間−周波数リソースの位置を決定する段階を含んでよい。
【００８８】
本実装方式における実装プロセスについては、図７を参照されたい。指示情報を受信した後に、端末装置２１は、指示情報における時間領域開始直交周波数分割多重ＯＦＤＭシンボル、時間領域ＯＦＤＭシンボルの数、周波数領域開始物理リソースブロックＰＲＢ、および周波数領域ＰＲＢの数に基づき、時間領域開始ＯＦＤＭシンボルが第４のＯＦＤＭシンボルであり、時間領域ＯＦＤＭシンボルの数が８であり、開始周波数領域ＰＲＢが第２のＰＲＢであり、周波数領域ＰＲＢの数が２であることを認識する。従って、図７の７１に示されているように、端末装置２１は、第１の時間−周波数リソースのＰＤＣＣＨ時間−周波数リソースの位置を決定し得る。
【００８９】
本実装方式において、指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。端末装置２１は、指示情報に含まれる時間領域開始直交周波数分割多重ＯＦＤＭシンボル、時間領域ＯＦＤＭシンボルの数、周波数領域開始物理リソースブロックＰＲＢ、および周波数領域ＰＲＢの数に基づき、第１の時間−周波数リソースの物理ダウンリンク制御チャネルＰＤＣＣＨ時間−周波数リソースの位置を直接決定してよい。本実装方式において、端末装置２１は、第１の時間−周波数リソースの制御エリアを認識する必要がない。従って、本実装方式において、第１の時間−周波数リソースの物理ダウンリンク制御チャネルＰＤＣＣＨ時間−周波数リソースの位置を決定する処理がより容易である。
【００９０】
本出願の本実施形態において提供されるダウンリンク制御チャネル指示方法によれば、第１の時間−周波数リソースが部分的にまたは完全に第２の時間−周波数リソースと重なったとき、端末装置は、ネットワーク装置により第１の時間−周波数リソースの予め設定された周波数帯域上で送信された指示情報を受信し、指示情報に従って、第１の時間−周波数リソースのＰＤＣＣＨ時間−周波数リソースの位置を決定する。そして、端末装置は、第１の時間−周波数リソースのＰＤＣＣＨの指示に従って、第１の時間−周波数リソースのＥＰＤＣＣＨ時間周波数リソースの位置を決定し得る。第２の時間−周波数リソースがＬＴＥキャリアであるとき、第１の時間−周波数リソースは、５Ｇキャリア（すなわち、第５世代無線キャリア、ＮＲキャリア、または同様のもの）である。この場合、本出願の本実施形態の本技術的解決手段において、５Ｇキャリアの端末装置は、指示情報に従って、５ＧキャリアのＰＤＣＣＨ時間−周波数リソースの位置を決定することができる。
【００９１】
加えて、実際の応用において、予め設定された周波数帯域は、第２の時間−周波数リソースにより占有され得て、予め設定された周波数帯域は、第１の時間−周波数リソースにより占有されることができず、ＰＣＦＩＣＨを送信するために用いられることもできない。この場合、ネットワーク装置２２は、第１の時間−周波数リソースの候補周波数帯域上でＰＣＦＩＣＨを送信し得て、端末装置２１は、候補周波数帯域に対してブラインド検出を実行してＰＣＦＩＣＨを取得し得る。ブラインド検出によってＰＣＦＩＣＨを取得した後に、端末装置は、ＰＣＦＩＣＨに基づき、第１の時間−周波数リソースの制御エリアを決定し得て、さらに、制御エリアにおいてブラインド検出を実行して、第１の時間−周波数リソースのＰＤＣＣＨ時間−周波数リソースの位置を決定し得る。候補周波数帯域は、第１の時間−周波数リソース上の予め設定された周波数帯域以外の全ての他の周波数帯域であってよい。代わりに、第１の時間−周波数リソース上の予め設定された周波数帯域の外部の特定の位置にある周波数帯域は、候補周波数帯域として用いられ得る。例えば、予め設定された周波数帯域に近接する１または複数のＯＦＤＭシンボルが、候補周波数帯域として用いられ得る。
【００９２】
さらに、ネットワーク装置２２は、第１の時間−周波数リソースのＰＢＣＨ上で、ＯＦＤＭシンボルレベルでの時間領域オフセットおよび／またはＰＲＢレベルでの周波数領域オフセットを送信してよく、具体的には、ＰＢＣＨは、直交周波数分割多重ＯＦＤＭシンボルレベルでの時間領域オフセット、および／または物理リソースブロックＰＲＢレベルでの周波数領域オフセットを含んでよい。
【００９３】
図８は、本出願の実施形態に係る別のダウンリンク制御チャネル指示方法のフローチャートである。本実施形態は、ネットワーク装置２２により実行される。具体的に、本実施形態は、以下の段階を含む。
【００９４】
段階Ｓ８１０において、ネットワーク装置２２は、第１の時間−周波数リソース上で予め設定された周波数帯域を決定する。
【００９５】
第１の時間−周波数リソースは部分的にまたは完全に第２の時間−周波数リソースと重なる。ネットワーク装置２２により決定された予め設定された周波数帯域は、実際のシナリオに基づき、異なる表現形式を有し得る。
【００９６】
第１の時間−周波数リソースが完全に第２の時間−周波数リソースと重なったとき、第１の時間−周波数リソースは、第２の時間−周波数リソースと異なる。従って、第１の時間−周波数リソースのガードバンドおよび第２の時間−周波数リソースのガードバンドは、異なる帯域幅を有し、具体的には、第１の時間−周波数リソースのガードバンドと第２の時間−周波数リソースのガードバンドとの間に帯域間隔が存在し、帯域間隔は、第２の時間−周波数リソースに対して干渉を受けない。従って、本出願の本実施形態の具体的な実装方式において、第１の時間−周波数リソースのガードバンドと第２の時間−周波数リソースのガードバンドとの間の帯域間隔は、第１の時間−周波数リソースの予め設定された周波数帯域として用いられ得る。第１の時間−周波数リソースがＮＲキャリアであり、第２の時間−周波数リソースがＬＴＥである例が、説明のために以下において用いられる。
【００９７】
図４において示されているように、ＮＲキャリアが完全にＬＴＥキャリアと重なったとき、ＬＴＥキャリアアカウントのガードバンド４１は、帯域幅の１０％を占め、具体的には、両側のそれぞれのＬＴＥキャリアのガードバンドは、帯域幅の５％を占める。現在、ＮＲキャリアアカウントのガードバンド４２は帯域幅の１０％未満を占めることが決定されている。従って、ＬＴＥキャリアのガードバンド４１とＮＲキャリアのガードバンド４２との間に帯域間隔４３が存在し、帯域間隔４３は、ＬＴＥキャリアに対して干渉を受けない。シナリオにおいて、帯域間隔４３は、ＮＲキャリアの予め設定された周波数帯域として用いられてよい。ネットワーク装置２２は、帯域間隔４３を用いることによって指示情報を送信してよく、端末装置２１は、帯域間隔４３上で指示情報を受信してよい。
【００９８】
加えて、伝送速度が高度モバイルブロードバンドｅＭＢＢシナリオにおいて大いに改善されることができることを考慮すると、第１の時間−周波数リソースが第５世代無線キャリア、またはＮＲキャリアなどの５Ｇキャリアであるとき、高帯域幅を有するｅＭＢＢは、導入されるとみなされ得る。この場合、第１の時間−周波数リソースが完全に第２の時間−周波数リソースと重なったとき、第２の時間−周波数リソースは、ＬＴＥキャリアアグリゲーション後に取得された時間周波数リソースに設定され得て、ＬＴＥキャリアアグリゲーションにおけるＬＴＥプライマリコンポーネントキャリアとＬＴＥセカンダリコンポーネントキャリアとの間のガードバンド、またはＬＴＥセカンダリコンポーネントキャリア間のガードバンドが、利用のための予め設定された周波数帯域として用いられる。第１の時間−周波数リソースがＮＲキャリアであり、第２の時間−周波数リソースがＬＴＥキャリアアグリゲーション後に取得された時間周波数リソースであるという例が、説明のために以下において用いられる。
【００９９】
例えば、ＮＲキャリアは、４０ＭＨｚの帯域幅を有し、ＬＴＥキャリアアグリゲーション後に取得された時間周波数リソースが２つの２０−ＭＨｚのＬＴＥキャリアのアグリゲーションによって形成される。図５において示されているように、両端のそれぞれの１．８４２５−ＭＨｚのガードバンド５１および１８．０１５−ＭＨｚの利用可能な周波数帯域５２を除き、ＬＴＥプライマリコンポーネントキャリアとＬＴＥセカンダリコンポーネントキャリアとの間、またはＬＴＥセカンダリコンポーネントキャリア間の２８５−ＫＨｚのガードバンド５３が依然として存在する。ガードバンド５３は、第２の時間−周波数リソースに対して干渉を受けない。従って、ガードバンド５３は、ＮＲキャリアの予め設定された周波数帯域として用いられ得る。ネットワーク装置２２は、ガードバンド５３を用いることによって指示情報を送信して得て、端末装置２１は、ガードバンド５３上で指示情報を受信し得る。ここで、ガードバンド５１の帯域幅、利用可能な周波数帯域５２、およびガードバンド５３は、実際の状況に基づき、調整され得ることに留意するべきである。
【０１００】
本実施形態において、第１の時間−周波数リソースの予め設定された周波数帯域は代わりに、第１の時間−周波数リソースの物理ブロードキャストチャネル（ｐｈｙｓｉｃａｌ  ｂｒｏａｄｃａｓｔ  ｃｈａｎｎｅｌ、ＰＢＣＨ）により占有された周波数帯域であってよい。
【０１０１】
段階Ｓ８２０において、ネットワーク装置２２は、予め設定された周波数帯域上で指示情報を送信する。
【０１０２】
ネットワーク装置２２により予め設定された周波数帯域上で送信された指示情報は、物理制御フォーマットインジケータチャネルＰＣＦＩＣＨを含んでよい。代わりに、ネットワーク装置２２により予め設定された周波数帯域上で送信された指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含んでよい。
【０１０３】
本実施形態において、予め設定された周波数帯域が第１の時間−周波数リソースのＰＢＣＨである場合、ネットワーク装置２２は、ＰＢＣＨを用いることによって指示情報を端末装置２１へ送信して、第１の時間−周波数リソースのＰＤＣＣＨ時間−周波数リソースの位置を柔軟に示し、第２の時間−周波数リソース上の既存信号との衝突を回避し得る。
【０１０４】
本出願の本実施形態において提供されるダウンリンク制御チャネル指示方法によれば、第１の時間−周波数リソースが部分的にまたは完全に第２の時間−周波数リソースと重なったとき、ネットワーク装置は、第１の時間−周波数リソースの予め設定された周波数帯域上で指示情報を送信する。指示情報を受信したとき、端末装置は、指示情報に従って、第１の時間−周波数リソースのＰＤＣＣＨ時間−周波数リソースの位置を決定してよい。そして、端末装置は、第１の時間−周波数リソースのＰＤＣＣＨの指示に従って、第１の時間−周波数リソースの時間周波数リソースのＥＰＤＣＣＨの位置を決定してよい。
【０１０５】
加えて、実際の応用において、予め設定された周波数帯域は、第２の時間−周波数リソースにより占有されてよく、予め設定された周波数帯域は、第１の時間−周波数リソースにより占有されることができず、ＰＣＦＩＣＨを送信するために用いられることもできない。この場合、ネットワーク装置２２は、第１の時間−周波数リソースの候補周波数帯域上でＰＣＦＩＣＨを送信し得て、端末装置２１は、候補周波数帯域に対してブラインド検出を実行してＰＣＦＩＣＨを取得し得る。ブラインド検出をによってＰＣＦＩＣＨを取得した後に、端末装置は、ＰＣＦＩＣＨに基づき、第１の時間−周波数リソースの制御エリアを決定し、さらに、制御エリアにおいてブラインド検出を実行して、第１の時間−周波数リソースのＰＤＣＣＨ時間−周波数リソースの位置を決定し得る。候補周波数帯域は、第１の時間−周波数リソース上の予め設定された周波数帯域以外の全ての他の周波数帯域であり得る。代わりに、第１の時間−周波数リソース上の予め設定された周波数帯域の外部の特定の位置にある周波数帯域は、候補周波数帯域として用いられ得る。例えば、予め設定された周波数帯域に近接する１または複数のＯＦＤＭシンボルは、候補周波数帯域として用いられ得る。
【０１０６】
さらに、ネットワーク装置２２は、第１の時間−周波数リソースのＰＢＣＨ上で、ＯＦＤＭシンボルレベルでの時間領域オフセットおよび／またはＰＲＢレベルでの周波数領域オフセットを送信してよく、具体的には、ＰＢＣＨは、直交周波数分割多重ＯＦＤＭシンボルレベルでの時間領域オフセット、および／または物理リソースブロックＰＲＢレベルでの周波数領域オフセットを含んでよい。
【０１０７】
第１の時間−周波数リソースが第５世代キャリアまたはＮＲキャリアなどの５Ｇキャリアであり、第２の時間−周波数リソースがＬＴＥキャリアである場合、５Ｇキャリアの端末装置が、前述の方法の実施形態におけるダウンリンク制御チャネル指示方法を用いることによって、指示情報に基づき、５ＧキャリアのＰＤＣＣＨ時間−周波数リソースの位置を決定することが必要なだけでなく、ＬＴＥキャリアの端末装置も、ＬＴＥキャリアのＰＤＣＣＨ時間−周波数リソースの位置を決定することが必要であることに特に留意するべきである。この場合、ＬＴＥキャリアの端末装置は、以下の方法を用いることによって、ＬＴＥキャリアのＰＤＣＣＨ時間−周波数リソースの位置を決定してよい。
【０１０８】
具体的には、ネットワーク装置は、ＰＣＦＩＣＨを用いることによって、ＬＴＥ共有制御エリアにより占有されたＯＦＤＭシンボルの数Ｘ（Ｘは１、２、または３に等しい）を端末装置に示す。そして、端末装置は、ＬＴＥ共有制御エリアにおいてブラインド検出を実行して、ＰＤＣＣＨ時間−周波数リソースの位置を決定する。図９に示されている例において、ＰＣＦＩＣＨは、前の２つ（すなわち、Ｘ＝２）のＯＦＤＭシンボルが位置するエリアがＬＴＥ共有制御エリアであることを示す。前述に基づき、端末装置は、ＬＴＥ共有制御エリアにおいてブラインド検出を実行して、ＰＤＣＣＨ時間−周波数リソースの位置を決定する。端末装置は、ＰＤＣＣＨの指示に基づき、ＥＰＤＣＣＨ時間周波数リソースの位置を決定する。第１の時間−周波数リソースが第５世代無線キャリアまたはＮＲキャリアなどの５Ｇキャリアであり、第２の時間−周波数リソースがＬＴＥキャリアである場合、第１の時間−周波数リソースの制御エリアにより占有されたＯＦＤＭシンボルの数は、ＬＴＥ共有制御エリアにより占有されたＯＦＤＭシンボルの数と同じであるか、またはそれと異なってよい。
【０１０９】
前述の方法の実施形態に対応して、本願の実施形態はさらに、端末装置およびネットワーク装置などの装置の対応する実施形態を提供する。
【０１１０】
図１０は、本出願の実施形態に係る端末装置の概略構造図である。端末装置は、図３において示されているダウンリンク制御チャネル指示方法を実行するよう構成される。端末装置は、受信モジュール１０１０および処理モジュール１０２０を備え得る。
【０１１１】
受信モジュール１０１０は、ネットワーク装置により第１の時間−周波数リソースの予め設定された周波数帯域上で送信されされた指示情報を受信するよう構成される。第１の時間−周波数リソースは部分的にまたは完全に第２の時間−周波数リソースと重なる。
【０１１２】
処理モジュール１０２０は、指示情報に従って、第１の時間−周波数リソースの物理ダウンリンク制御チャネルＰＤＣＣＨ時間−周波数リソースの位置を決定するよう構成される。
【０１１３】
本出願の本実施形態において提供される端末装置によれば、第１の時間−周波数リソースが部分的にまたは完全に第２の時間−周波数リソースと重なったとき、端末装置は、ネットワーク装置により、第１の時間−周波数リソースの予め設定された周波数帯域上で送信された指示情報を受信し、指示情報に従って、第１の時間−周波数リソースのＰＤＣＣＨ時間−周波数リソースの位置を決定する。そして、端末装置は、第１の時間−周波数リソースのＰＤＣＣＨの指示に従って、第１の時間−周波数リソースのＥＰＤＣＣＨ時間周波数リソースの位置を決定し得る。第２の時間−周波数リソースがＬＴＥキャリアであるとき、第１の時間−周波数リソースは、５Ｇキャリア（すなわち、第５世代無線キャリア、ＮＲキャリア、または同様のもの）である。この場合、本出願の本実施形態の本技術的解決手段において、５Ｇキャリアの端末装置は、指示情報に従って、５ＧキャリアのＰＤＣＣＨ時間−周波数リソースの位置を決定することができる。
【０１１４】
任意選択的に、本出願の本実施形態の具体的な実装方式において、第１の時間−周波数リソースが完全に第２の時間−周波数リソースと重なったとき、予め設定された周波数帯域は、第１の時間−周波数リソースのガードバンドと第２の時間−周波数リソースのガードバンドとの間の帯域間隔である。
【０１１５】
任意選択的に、本出願の本実施形態の別の特定の実装方式において、第２の時間−周波数リソースがＬＴＥキャリアアグリゲーション後に取得された時間周波数リソースであり、第１の時間−周波数リソースが完全に第２の時間−周波数リソースと重なったとき、予め設定された周波数帯域は、ＬＴＥキャリアアグリゲーションにおけるＬＴＥプライマリコンポーネントキャリアとＬＴＥセカンダリコンポーネントキャリアとの間のガードバンドであるか、またはＬＴＥセカンダリコンポーネントキャリア間のガードバンドである。
【０１１６】
任意選択的に、本出願の本実施形態の別の特定の実装方式において、受信モジュール１０１０は具体的には、ネットワーク装置により第１の時間−周波数リソースの物理ブロードキャストチャネルＰＢＣＨ上で送信された指示情報を受信するよう構成される。
【０１１７】
任意選択的に、本出願の本実施形態の別の特定の実装方式において、ＰＢＣＨは、直交周波数分割多重ＯＦＤＭシンボルレベルでの時間領域オフセット、および／または物理リソースブロックＰＲＢレベルでの周波数領域オフセットを含んでよい。
【０１１８】
任意選択的に、本出願の本実施形態の別の特定の実装方式において、指示情報は、物理制御フォーマットインジケータチャネルＰＣＦＩＣＨを含む。処理モジュール１０２０は具体的には、制御エリアに位置するか、または制御エリアの外部の別の周波数帯域に位置するＰＣＦＩＣＨに基づき、第１の時間−周波数リソースの制御エリアを決定し、制御エリアにおいてブラインド検出を実行して、第１の時間−周波数リソースのＰＤＣＣＨ時間−周波数リソースの位置を決定するよう構成される。
【０１１９】
任意選択的に、本出願の本実施形態の別の特定の実装方式において、処理モジュールはさらに、予め設定された周波数帯域が第２の時間−周波数リソースにより占有されたとき、第１の時間−周波数リソースの候補周波数帯域に対してブラインド検出を実行してＰＣＦＩＣＨを取得するよう構成され得る。候補周波数帯域は、第１の時間−周波数リソース上の予め設定された周波数帯域以外の全ての他の周波数帯域であるか、または、第１の時間−周波数リソース上の予め設定された周波数帯域の外部の特定の位置にある周波数帯域である。
【０１２０】
任意選択的に、本出願の本実施形態の別の特定の実装方式において、指示情報は、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。処理モジュール１０２０は具体的には、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とに基づき、第１の時間−周波数リソースの物理ダウンリンク制御チャネルＰＤＣＣＨ時間−周波数リソースの位置を決定するよう構成される。
【０１２１】
図１１は、本出願の実施形態に係るネットワーク装置の概略構造図である。ネットワーク装置は、図８に示されているダウンリンク制御チャネル指示方法を実行するよう構成される。ネットワーク装置は、処理モジュール１１１０および送信モジュール１１２０を備えてよい。
【０１２２】
周波数帯域決定モジュール１１１０は、第１の時間−周波数リソース上で予め設定された周波数帯域を決定するよう構成される。第１の時間−周波数リソースは部分的にまたは完全に第２の時間−周波数リソースと重なる。
【０１２３】
情報送信モジュール１１２０は、予め設定された周波数帯域上で指示情報を送信するよう構成される。指示情報は、物理制御フォーマットインジケータチャネルＰＣＦＩＣＨを含むか、または、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。
【０１２４】
本出願の本実施形態において提供されるネットワーク装置によれば、第１の時間−周波数リソースが部分的にまたは完全に第２の時間−周波数リソースと重なったとき、ネットワーク装置は、第１の時間−周波数リソースの予め設定された周波数帯域上で指示情報を送信する。指示情報を受信したとき、端末装置は、指示情報に従って、第１の時間−周波数リソースのＰＤＣＣＨ時間−周波数リソースの位置を決定してよい。そして、端末装置は、第１の時間−周波数リソースのＰＤＣＣＨの指示に従って、第１の時間−周波数リソースのＥＰＤＣＣＨ時間周波数リソースの位置を決定し得る。
【０１２５】
任意選択的に、本出願の本実施形態の具体的な実装方式において、第１の時間−周波数リソースが完全に第２の時間−周波数リソースと重なったとき、予め設定された周波数帯域は、第１の時間−周波数リソースのガードバンドと第２の時間−周波数リソースのガードバンドとの間の帯域間隔である。
【０１２６】
任意選択的に、本出願の本実施形態の別の特定の実装方式において、第２の時間−周波数リソースがＬＴＥキャリアアグリゲーション後に取得された時間周波数リソースであり、第１の時間−周波数リソースが完全に第２の時間−周波数リソースと重なったとき、予め設定された周波数帯域は、ＬＴＥキャリアアグリゲーションにおけるＬＴＥプライマリコンポーネントキャリアとＬＴＥセカンダリコンポーネントキャリアとの間のガードバンドであるか、または、ＬＴＥセカンダリコンポーネントキャリア間のガードバンドである。
【０１２７】
任意選択的に、本出願の本実施形態の別の特定の実装方式において、予め設定された周波数帯域は、第１の時間−周波数リソースの物理ブロードキャストチャネルＰＢＣＨが位置する周波数帯域である。
【０１２８】
任意選択的に、本出願の本実施形態の別の特定の実装方式において、情報送信モジュール１１２０はさらに、予め設定された周波数帯域が第２の時間−周波数リソースにより占有されたとき、ネットワーク装置により、第１の時間−周波数リソースの候補周波数帯域上でＰＣＦＩＣＨを送信するよう構成される。候補周波数帯域は、第１の時間−周波数リソース上の予め設定された周波数帯域以外の全ての他の周波数帯域であるか、または、第１の時間−周波数リソース上の予め設定された周波数帯域の外部の特定の位置の周波数帯域である。
【０１２９】
任意選択的に、本出願の本実施形態の別の特定の実装方式において、ＰＢＣＨは、直交周波数分割多重ＯＦＤＭシンボルレベルでの時間領域オフセット、および／または物理リソースブロックＰＲＢレベルでの周波数領域オフセットを含んでよい。
【０１３０】
図１２は、本出願の実施形態に係る端末装置の概略構造図である。端末装置は、前述の実施形態のうちのいずれかにおける端末装置であってよく、前述の実施形態における方法の段階を実行するよう構成される。
【０１３１】
図１２に示されているように、端末装置は、プロセッサ１２１と、メモリ１２２と、送受信モジュール１２３とを備えてよい。送受信モジュールは、受信機１２３１、送信機１２３２、およびアンテナ１２３３などの構成要素を含んでよい。端末装置はさらに、より多くの、またはより少ない構成要素を備えてよく、または、いくつかの構成要素が組み合わされてよく、または構成要素は、異な方式において設置されてよい。このことは本出願において限定されるものではない。
【０１３２】
プロセッサ１２１は、端末装置の制御センタであり、様々なインタフェースおよび配線を用いることによって端末装置全体の各部に接続される。プロセッサ１２１は、メモリ１２２に記憶されているソフトウェアプログラムおよび／またはモジュールを動作または実行し、メモリ１２２に記憶されているデータを呼び出して、端末装置の様々な機能を実行し、および／またはデータを処理する。プロセッサ１２１は、集積回路（ｉｎｔｅｇｒａｔｅｄ  ｃｉｒｃｕｉｔ、ＩＣ）を含んでよく、例えば、単一のパッケージされたＩＣを含んでよく、または同じ機能もしくは異なる機能を有し、互いに接続される複数のパッケージされたＩＣを含んでよい。例えば、プロセッサ１２１は、中央演算処理装置（Ｃｅｎｔｒａｌ  Ｐｒｏｃｅｓｓｉｎｇ  Ｕｎｉｔ、ＣＰＵ）のみを含んでよく、または、ＧＰＵ、デジタル信号プロセッサ（ｄｉｇｉｔａｌ  ｓｉｇｎａｌ  ｐｒｏｃｅｓｓｏｒ、ＤＳＰ）、および送受信モジュール中の制御チップ（ベースバンドチップなど）の組み合わせを含んでよい。本出願の様々な実装方式において、ＣＰＵは、単一演算コアであってよく、または、複数の演算コアを含んでよい。
【０１３３】
送受信モジュール１２３は、通信チャネルを用いることによって端末装置が受信装置に接続され、端末装置間のデータ伝送を実現するように、通信チャネルを確立するよう構成される。送受信モジュールは、無線ローカルエリアネットワーク（ｗｉｒｅｌｅｓｓ  ｌｏｃａｌ  ａｒｅａ  ｎｅｔｗｏｒｋ、ＷＬＡＮ）モジュール、Ｂｌｕｅｔｏｏｔｈ（登録商標）モジュール、およびベースバンド（ｂａｓｅ  ｂａｎｄ）モジュールなどの通信モジュールと、通信モジュールに対応するする無線周波数（ｒａｄｉｏ  ｆｒｅｑｕｅｎｃｙ、ＲＦ）回路とを含み、例えば、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））および／または高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ、ＨＳＤＰＡ）における通信のような、無線ローカルエリアネットワーク通信、Ｂｌｕｅｔｏｏｔｈ（登録商標）通信、赤外線通信、および／またはセルラ通信システム通信を実行し得る。送受信モジュールは、端末装置の構成要素間の通信を制御するよう構成され、ダイレクトメモリアクセス（ｄｉｒｅｃｔ  ｍｅｍｏｒｙ  ａｃｃｅｓｓ）をサポートしてよい。
【０１３４】
本出願の異なる実装方式において、送受信モジュール１２３における各送受信モジュールは通常、集積回路チップ（ｉｎｔｅｇｒａｔｅｄ  ｃｉｒｃｕｉｔ  ｃｈｉｐ）の形式で実行され、選択的に組み合わされ得る。送受信モジュールおよび対応するアンテナグループの全てを含む必要がない。例えば、送受信モジュール１２３は、セルラ通信システムにおいて通信機能を提供するよう、ベースバンドチップ、無線周波数チップ、および対応するアンテナのみを含み得る。端末装置は、例えば、無線ローカルエリアネットワークアクセスまたはＷＣＤＭＡ（登録商標）アクセスのような、送受信モジュールにより確立された無線通信接続を介して、セルラネットワーク（ｃｅｌｌｕｌａｒ  ｎｅｔｗｏｒｋ）またはインターネット（ｉｎｔｅｒｎｅｔ）に接続されてよい。本出願のいくつかの任意選択的な実装方式において、送受信モジュールにおける、例えば、ベースバンドモジュールのような通信モジュールは、プロセッサ内に統合され得る。典型的な例としては、クアルコム（Ｑｕａｌｃｏｍｍ）社により提供されるＡＰＱ＋ＭＤＭシリーズプラットフォームである。無線周波数回路は、呼処理において情報を受信および送信する、または信号を受信および送信するよう構成される。例えば、無線周波数回路は、処理のためにネットワーク装置のダウンリンク情報を受信してダウンリンク情報をプロセッサへ送信し、アップリンク関連のデータをネットワーク装置へ送信する。通常、無線周波数回路は、機能を実行するよう構成される周知の回路を含む。周知の回路は、アンテナシステム、無線周波数送受信機、１または複数の増幅器、チューナ、１または複数の発振器、デジタル信号プロセッサ、コデック（ｃｏｄｅｃ）チップセット、加入者識別モジュール（ＳＩＭ）カード、メモリ、および同様のものを含むが、それらに限定されるものではない。加えて、無線周波数回路はさらに、無線通信を介してネットワークおよび別の装置と通信してよい。無線通信は、任意の通信規格またはプロトコルを用いてよく、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ（登録商標））、高速アップリンクパケットアクセス（Ｈｉｇｈ  Ｓｐｅｅｄ  Ｕｐｌｉｎｋ  Ｐａｃｋｅｔ  Ａｃｃｅｓｓ、ＨＳＵＰＡ）、ロングタームエボリューション（Ｌｏｎｇ  Ｔｅｒｍ  Ｅｖｏｌｕｔｉｏｎ、ＬＴＥ）、電子メール、ショートメッセージングサービス（Ｓｈｏｒｔ  Ｍｅｓｓａｇｉｎｇ  Ｓｅｒｖｉｃｅ、ＳＭＳ）、および同様のものを含むが、それらに限定されるものではない。
【０１３５】
本出願の本実施形態において、受信モジュール１０１０により実行される必要がある機能は、端末装置の送受信モジュール１２３により実行されてよく、または、プロセッサ１２１により制御される送受信モジュール１２３により実行されてよい。処理モジュール１０２０により実行される必要がある機能は、プロセッサ１２１により実行されてよい。
【０１３６】
図１３は、本発明の実施形態に係るネットワーク装置の概略構造図である。ネットワーク装置は、前述の実施形態のうちのいずれかにおけるネットワーク装置であってよく、前述の実施形態における方法の段階を実現するよう構成される。
【０１３７】
ネットワーク装置は、プロセッサ１３１、メモリ１３２、送受信機１３３、および同様のものを備え得る。
【０１３８】
プロセッサ１３１は、ネットワーク装置の制御センタであり、様々なインタフェースおよび配線を用いることによってネットワーク装置全体の各部に接続される。プロセッサ１３１は、メモリに記憶されているソフトウェアプログラムおよび／またはモジュールを動作させ、または実行し、メモリ１３２に記憶されているデータを呼び出して、ネットワーク装置の様々な機能を実行し、および／またはデータを処理する。プロセッサ１３１は、中央演算処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、またはＣＰＵおよびＮＰの組み合わせであってよい。プロセッサはさらに、ハードウェアチップを含んでよい。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブル論理デバイス（ｐｒｏｇｒａｍｍａｂｌｅ  ｌｏｇｉｃ  ｄｅｖｉｃｅ  （ｐｒｏｇｒａｍｍａｂｌｅ  ｌｏｇｉｃ  ｄｅｖｉｃｅ、ＰＬＤ）、または、それらの組み合わせであってよい。ＰＬＤは、コンプレックスプログラマブルロジックデバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、ジェネリックアレイロジック（ｇｅｎｅｒｉｃ  ａｒｒａｙ  ｌｏｇｉｃ、ＧＡＬ）、または、それら任意の組み合わせであってよい。
【０１３９】
メモリ１３２は、例えば、ランダムアクセスメモリ（rａｎｄｏｍ  ａｃｃｅｓｓ  ｍｅｍｏｒｙ、ＲＡＭ）のような揮発性メモリ（ｖｏｌａｔｉｌｅ  ｍｅｍｏｒｙ）を含んでよく、または、例えば、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）のような不揮発性メモリ（ｎｏｎ−ｖｏｌａｔｉｌｅ  ｍｅｍｏｒｙ）を含んでよい。代わりに、メモリ１３２は、前述の種類のメモリの組み合わせを含んでよい。メモリは、プログラムまたはコードを記憶し得る。ネットワーク装置におけるプロセッサ１３１は、プログラムまたはコードを実行して、ネットワーク装置の機能を実現する。
【０１４０】
送受信機１３３は、データを受信または送信するよう構成され得る。送受信機は、プロセッサの制御の下で、データを端末装置または別のネットワーク装置へ送信し得る。送受信機は、プロセッサの制御の下で、端末装置または別のネットワーク装置により送信されたデータを受信する。
【０１４１】
本出願の本実施形態において、送受信機１３３は、図８に示されている実施形態における方法の予め設定された周波数帯域上で指示情報を送信する段階を実行するよう構成されてよい。送信モジュール１１２０により実行される必要がある機能は、ネットワーク装置の送受信機１３３により実行されてよく、または、プロセッサ１３１により制御される送受信機１３３により実行されてよい。処理モジュール１１１０により実行される必要がある機能は、プロセッサ１３１により実行され得る。
【０１４２】
具体的な実装方式において、本出願の実施形態はさらに、コンピュータ記憶媒体を提供する。コンピュータ記憶媒体は、プログラムを記憶し得る。プログラムが実行されたとき、本出願において提供されているデータ伝送方法の各実施形態のいくつか、または全ての段階は、含まれ得る。記憶媒体は、磁気ディスク、光ディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）または同様のものであってよい。
【０１４３】
当業者は、本願の実施形態における技術が、必要なコモディティハードウェアプラットフォームに加えて、ソフトウェアにより実行され得るということを明確に理解し得る。そのような理解に基づき、本質的にまたは部分的に従来技術に寄与する本願の実施形態の技術的解決手段が、ソフトウェア製品の形態において実行され得る。コンピュータソフトウェア製品は、ＲＯＭ／ＲＡＭ、ハードディスク、または光ディスクなどの記憶媒体に記憶され、（パーソナルコンピュータ、サーバ、ネットワーク装置、または同様のものであり得る）コンピュータ装置命令するためのいくつかの命令を含み、本願の実施形態において説明されている方法、または実施形態のいくつかの部分を実行する。
【０１４４】
本明細書における実施形態は全て、実施形態における同じまたは同様の部分について漸進的方式で説明されており、これらの実施形態を参照されたく、各実施形態は、他の実施形態との相違点に注目している。特に、システムおよび装置実施形態は、方法の実施形態と基本的に同様であり、従って、簡潔的に説明される。関連部分について、方法の実施形態における説明を参照されたい。
【０１４５】
前述の説明は、本出願の実装方式であるが、本出願の保護範囲を限定するものではない。本出願の精神および原則内で行われた任意の変更、均等な置き換え、改善、および同様のは、本出願の保護範囲に含まれるべきである。
【図１】
2020503733.tif 000003
【図２】
2020503733.tif 000004
【図３】
2020503733.tif 000005
【図４】
2020503733.tif 000006
【図５】
2020503733.tif 000007
【図６】
2020503733.tif 000008
【図７】
2020503733.tif 000009
【図８】
2020503733.tif 000010
【図９】
2020503733.tif 000011
【図１０】
2020503733.tif 000012
【図１１】
2020503733.tif 000013
【図１２】
2020503733.tif 000014
【図１３】
2020503733.tif 000015
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
端末装置が、ネットワーク装置により第１の時間−周波数リソースの予め設定された周波数帯域上で送信された指示情報を受信する段階であって、前記第１の時間−周波数リソースは、第２の時間−周波数リソースと部分的にまたは完全に重なる、段階と、
前記端末装置が、前記指示情報に従って、前記第１の時間−周波数リソースの物理ダウンリンク制御チャネル（ＰＤＣＣＨ）時間−周波数リソースの位置を決定する段階と
を備える
ダウンリンク制御チャネル指示方法。
【請求項２】
前記予め設定された周波数帯域は、前記第１の時間−周波数リソースのガードバンドと、前記第２の時間−周波数リソースのガードバンドとの間の帯域間隔であり、または、
端末装置が、ネットワーク装置により第１の時間−周波数リソースの予め設定された周波数帯域上で送信された指示情報を受信する前記段階は、
前記端末装置が、前記ネットワーク装置により前記第１の時間−周波数リソースの物理ブロードキャストチャネルＰＢＣＨ上で送信された前記指示情報を受信する段階を含む、請求項１に記載の方法。
【請求項３】
前記指示情報は、物理制御フォーマットインジケータチャネル（ＰＣＦＩＣＨ）を含み、前記端末装置が、前記指示情報に従って、前記第１の時間−周波数リソースの物理ダウンリンク制御チャネル時間−周波数リソース（ＰＤＣＣＨ時間−周波数リソース）の位置を決定する前記段階は、
前記端末装置が、前記ＰＣＦＩＣＨに基づき、前記第１の時間−周波数リソースの制御エリアを決定する段階であって、前記ＰＣＦＩＣＨは、前記制御エリアに位置するか、または前記制御エリアの外部の別の周波数帯域に位置する、段階と、
前記端末装置が、前記制御エリアにおけるブラインド検出を実行し、前記第１の時間−周波数リソースの前記ＰＤＣＣＨ時間−周波数リソースの前記位置を決定する段階と
を含み、前記方法は、
前記予め設定された周波数帯域が前記第２の時間−周波数リソースにより占有されたとき、前記端末装置が、前記第１の時間−周波数リソースの候補周波数帯域に対してブラインド検出を実行し、前記ＰＣＦＩＣＨを取得する段階であって、前記候補周波数帯域は、前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域である、段階をさらに備え、または、
前記指示情報は、時間領域開始直交周波数分割多重（ＯＦＤＭ）シンボルと、時間領域ＯＦＤＭシンボルの数と、周波数領域開始物理リソースブロック（ＰＲＢ）と、周波数領域ＰＲＢの数とを含み、
前記端末装置が、前記指示情報に従って、前記第１の時間−周波数リソースの物理ダウンリンク制御チャネル（ＰＤＣＣＨ）時間−周波数リソースの位置を決定する前記段階は、
前記端末装置が、前記時間領域開始直交周波数分割多重（ＯＦＤＭ）シンボルと、前記時間領域ＯＦＤＭシンボルの数と、前記周波数領域開始物理リソースブロック（ＰＲＢ）と、前記周波数領域ＰＲＢの数とに基づき、前記第１の時間−周波数リソースの前記物理ダウンリンク制御チャネル（ＰＤＣＣＨ）時間−周波数リソースの前記位置を決定する段階を含む、
請求項１または２に記載の方法。
【請求項４】
コンピュータに、請求項１から３の何れか一項に記載の方法を実行させるためのプログラム。
【請求項５】
ネットワーク装置が、第１の時間−周波数リソース上で予め設定された周波数帯域を決定する段階であって、前記第１の時間−周波数リソースは、第２の時間−周波数リソースと部分的にまたは完全に重なる、段階と、
前記ネットワーク装置が、前記予め設定された周波数帯域上で指示情報を送信する段階であって、前記指示情報は、物理制御フォーマットインジケータチャネル（ＰＣＦＩＣＨ）を含むか、または、時間領域開始直交周波数分割多重（ＯＦＤＭ）シンボルと、時間領域ＯＦＤＭシンボルの数と、周波数領域開始物理リソースブロック（ＰＲＢ）と、周波数領域ＰＲＢの数とを含む、段階と
を備える
ダウンリンク制御チャネル指示方法。
【請求項６】
前記予め設定された周波数帯域は、前記第１の時間−周波数リソースのガードバンドと、前記第２の時間−周波数リソースのガードバンドとの間の帯域間隔であり、または、
前記予め設定された周波数帯域は、前記第１の時間−周波数リソースの物理ブロードキャストチャネル（ＰＢＣＨ）が位置する周波数帯域である、
請求項５に記載の方法。
【請求項７】
前記予め設定された周波数帯域が前記第２の時間−周波数リソースにより占有されるとき、前記ネットワーク装置が、前記第１の時間−周波数リソースの候補周波数帯域上で前記ＰＣＦＩＣＨを送信する段階であって、前記候補周波数帯域が前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域である、段階をさらに備える、請求項５または６一項に記載の方法。
【請求項８】
コンピュータに、請求項５から７の何れか一項に記載の方法を実行させるためのプログラム。
【請求項９】
メモリと、プロセッサと、前記メモリに記憶され、かつ、前記プロセッサ上で動作できるコンピュータプログラムとを備える通信装置であって、前記コンピュータプログラムを実行したとき、前記プロセッサは、請求項１から３の何れか一項に記載の方法を実行するか、または、請求項５から７の何れか一項に記載の方法を実行する、通信装置。
【請求項１０】
ネットワーク装置により第１の時間−周波数リソースの予め設定された周波数帯域上で送信された指示情報を受信するよう構成される受信モジュールであって、前記第１の時間−周波数リソースは部分的にまたは完全に第２の時間−周波数リソースと重なる、受信モジュールと、
前記指示情報に従って、前記第１の時間−周波数リソースの物理ダウンリンク制御チャネル時間−周波数リソース（ＰＤＣＣＨ時間−周波数リソース）の位置を決定するよう構成される処理モジュールと
を備える
端末装置。
【請求項１１】
前記予め設定された周波数帯域は、前記第１の時間−周波数リソースのガードバンドと、前記第２の時間−周波数リソースのガードバンドとの間の帯域間隔であり、または、
前記受信モジュールは具体的に、前記ネットワーク装置により前記第１の時間−周波数リソースの物理ブロードキャストチャネルＰＢＣＨ上で送信された前記指示情報を受信するよう構成される、
請求項１０に記載の端末装置。
【請求項１２】
前記指示情報は、物理制御フォーマットインジケータチャネル（ＰＣＦＩＣＨ）を含み、前記処理モジュールは具体的に、制御エリアに位置するか、または、前記制御エリアの外部の別の周波数帯域に位置する前記ＰＣＦＩＣＨに基づき、前記第１の時間−周波数リソースの前記制御エリアを決定し、前記制御エリアにおいてブラインド検出を実行して前記第１の時間−周波数リソースの前記ＰＤＣＣＨ時間−周波数リソースの前記位置を決定するよう構成され、
前記処理モジュールは、前記予め設定された周波数帯域が前記第２の時間−周波数リソースにより占有されたとき、前記第１の時間−周波数リソース上の候補周波数帯域に対してブラインド検出を実行して、前記ＰＣＦＩＣＨを取得するようさらに構成され、前記候補周波数帯域は、前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域であり、または、
前記指示情報は、時間領域開始直交周波数分割多重（ＯＦＤＭ）シンボルと、時間領域ＯＦＤＭシンボルの数と、周波数領域開始物理リソースブロック（ＰＲＢ）と、周波数領域ＰＲＢの数とを含み、前記処理モジュールは具体的に、前記時間領域開始直交周波数分割多重（ＯＦＤＭ）シンボルと、前記時間領域ＯＦＤＭシンボルの数と、前記周波数領域開始物理リソースブロック（ＰＲＢ）と、前記周波数領域ＰＲＢの数とに基づき、前記第１の時間−周波数リソースの前記物理ダウンリンク制御チャネル（ＰＤＣＣＨ）時間−周波数リソースの前記位置を決定するよう構成される、
請求項１０または１１に記載の端末装置。
【請求項１３】
第１の時間−周波数リソース上で予め設定された周波数帯域を決定するよう構成される処理モジュールであって、前記第１の時間−周波数リソースは、部分的にまたは完全に第２の時間−周波数リソースと重なる、処理モジュールと、
前記予め設定された周波数帯域上で指示情報を送信するよう構成される送信モジュールであって、前記指示情報は、物理制御フォーマットインジケータチャネル（ＰＣＦＩＣＨ）を含むか、または、時間領域開始直交周波数分割多重（ＯＦＤＭ）シンボルと、時間領域ＯＦＤＭシンボルの数と、周波数領域開始物理リソースブロック（ＰＲＢ）と、周波数領域ＰＲＢの数とを含む、送信モジュールと
を備える
ネットワーク装置。
【請求項１４】
前記予め設定された周波数帯域は、前記第１の時間−周波数リソースのガードバンドと、前記第２の時間−周波数リソースのガードバンドとの間の帯域間隔であり、または、
前記予め設定された周波数帯域は、前記第１の時間−周波数リソースの物理ブロードキャストチャネルＰＢＣＨが位置する周波数帯域である、
請求項１３に記載のネットワーク装置。
【請求項１５】
前記送信モジュールは、前記予め設定された周波数帯域が前記第２の時間−周波数リソースにより占有されたとき、前記ネットワーク装置が、前記第１の時間−周波数リソースの候補周波数帯域上で前記ＰＣＦＩＣＨを送信するようさらに構成され、前記候補周波数帯域は、前記第１の時間−周波数リソース上の前記予め設定された周波数帯域以外の全ての他の周波数帯域であるか、または、前記第１の時間−周波数リソース上の前記予め設定された周波数帯域の外部の特定の位置にある周波数帯域である、請求項１３または１４に記載のネットワーク装置。
【手続補正２】
【補正対象書類名】明細書
【補正対象項目名】０００６
【補正方法】変更
【補正の内容】
【０００６】
本願の実施形態は、ダウンリンク制御チャネル指示方法、端末装置、およびネットワーク装置を提供し、第１の時間−周波数リソースが部分的にまたは完全に第２の時間−周波数リソースと重なった（具体的には、２つのキャリアが互いに部分的にまたは完全に重なった）とき、端末装置が、ＰＤＣＣＨ時間−周波数リソースの位置を決定することを可能とする。以下の実施形態において、第１の時間−周波数リソースは、第５世代無線キャリア、新規無線（Ｎｅｗ  Ｒａｄｉｏ、ＮＲ）キャリア、ＬＴＥキャリア、または同様のものであってよく、第２の時間−周波数リソースは、ＬＴＥキャリア、ＵＭＴＳキャリア、グローバルシステムフォーモバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））キャリア、または同様のものであってよい。第１の時間−周波数リソースは、第２の時間−周波数リソースと異なる。
【手続補正３】
【補正対象書類名】明細書
【補正対象項目名】００６９
【補正方法】変更
【補正の内容】
【００６９】
本出願の本実施形態において、具体的な実装プロセスにおいて、端末装置２１は、音声および／またはデータ接続性をユーザに提供する装置、無線接続機能を有するハンドヘルド装置、または無線モデムに接続される別の処理装置であってよい。端末装置２１は、無線アクセスネットワーク（ｒａｄｉｏ  ａｃｃｅｓｓ  ｎｅｔｗｏｒｋ、ＲＡＮ）を介して１または複数のコアネットワークと通信し得る。端末装置２１は、移動端末、例えば、携帯電話（または、「セルラ」電話と称される）または移動端末をううするコンピュータであってよい。例えば、端末装置２１は、ポータブル、ポケットサイズの、ハンドヘルド、コンピュータ内蔵型、または車載型の、無線アクセスネットワークと言語および／またはデータを交換するモバイル装置、例えば、パーソナルコミュニケーションサービス（ｐｅｒｓｏｎａｌ  ｃｏｍｍｕｎｉｃａｔｉｏｎ  ｓｅｒｖｉｃｅ、ＰＣＳ）電話、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、または、パーソナルデジタルアシスタント（ｐｅｒｓｏｎａｌ  ｄｉｇｉｔａｌ  ａｓｓｉｓｔａｎｔ、ＰＤＡ）などの装置であってよい。端末装置２１は、システム、加入者ユニット（ｓｕｂｓｃｒｉｂｅｒ  ｕｎｉｔ、ＳＵ）、加入者局（ｓｕｂｓｃｒｉｂｅｒ  ｓｔａｔｉｏｎ、ＳＳ）移動局（ｍｏｂｉｌｅ  ｓｔａｔｉｏｎ、ＭＳ）、遠隔局（ｒｅｍｏｔｅ  ｓｔａｔｉｏｎ、ＲＳ）、アクセスポイント（ａｃｃｅｓｓ  ｐｏｉｎｔ、ＡＰ）、遠隔端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザ端末（ｕｓｅｒ  ｔｅｒｍｉｎａｌ、ＵＴ）、ユーザエージェント（ｕｓｅｒ  ａｇｅｎｔ、ＵＡ）、ユーザ装置、またはユーザ機器（ｕｓｅｒ  ｅｑｕｉｐｍｅｎｔ、ＵＥ）と称されてもよい。ネットワーク装置２２は、基地局、強化型基地局、スケジューリング機能を有する中継局、基地局機能を有する装置、または同様のものと称されてよい。基地局は、ＬＴＥシステムにおける進化型ノードＢ（ｅｖｏｌｖｅｄ  Ｎｏｄｅ  Ｂ，  ｅＮＢ）であってよく、または、別のシステムにおける基地局であってよい。このことは、本出願の本実施形態に限定されるものではない。
【手続補正４】
【補正対象書類名】明細書
【補正対象項目名】０１２２
【補正方法】変更
【補正の内容】
【０１２２】
処理モジュール１１１０は、第１の時間−周波数リソース上で予め設定された周波数帯域を決定するよう構成される。第１の時間−周波数リソースは部分的にまたは完全に第２の時間−周波数リソースと重なる。
【手続補正５】
【補正対象書類名】明細書
【補正対象項目名】０１２３
【補正方法】変更
【補正の内容】
【０１２３】
送信モジュール１１２０は、予め設定された周波数帯域上で指示情報を送信するよう構成される。指示情報は、物理制御フォーマットインジケータチャネルＰＣＦＩＣＨを含むか、または、時間領域開始直交周波数分割多重ＯＦＤＭシンボルと、時間領域ＯＦＤＭシンボルの数と、周波数領域開始物理リソースブロックＰＲＢと、周波数領域ＰＲＢの数とを含む。
【手続補正６】
【補正対象書類名】明細書
【補正対象項目名】０１２８
【補正方法】変更
【補正の内容】
【０１２８】
任意選択的に、本出願の本実施形態の別の特定の実装方式において、送信モジュール１１２０はさらに、予め設定された周波数帯域が第２の時間−周波数リソースにより占有されたとき、ネットワーク装置により、第１の時間−周波数リソースの候補周波数帯域上でＰＣＦＩＣＨを送信するよう構成される。候補周波数帯域は、第１の時間−周波数リソース上の予め設定された周波数帯域以外の全ての他の周波数帯域であるか、または、第１の時間−周波数リソース上の予め設定された周波数帯域の外部の特定の位置の周波数帯域である。
【国際調査報告】
2020503733.tif 000016
2020503733.tif 000017
2020503733.tif 000018
2020503733.tif 000019